(57)【要約】【課題】地図の更新と地図の更新に伴う情報の取得を簡便な操作で行うことができる、情報出力システム、サーバ装置、端末装置、情報出力方法、および、プログラムを提供することを課題とする。【解決手段】本発明は、地図情報に対応付けてイベント地点に関する情報を記憶し、地図情報に基づく地図が表示されるように出力部を制御し、入力部を介した位置入力により、出力部に表示された地図上の基準点に対する移動要求を利用者に入力させ、移動要求に基づいて移動方向を決定し、移動方向に従って地図上を基準点が移動した場合の、当該地図の線上または当該線から所定範囲内の、所定の条件を満たすイベント地点を検索し、検索したイベント地点に関する情報を出力部に出力する。【選択図】図１
2014052264.tif 000002
【特許請求の範囲】
【請求項１】
地図情報を記憶する地図情報記憶手段と、上記地図情報に対応付けて、イベント地点に関する情報を記憶するイベント記憶手段と、上記地図情報記憶手段に記憶された上記地図情報に基づく地図が表示されるように出力部を制御する地図表示制御手段と、入力部を介して、上記出力部に表示された上記地図上の基準点に対する移動要求を利用者に入力させる入力制御手段と、上記移動要求に基づいて、移動方向を決定する移動方向決定手段と、上記移動方向に従って上記地図上を上記基準点が移動した場合の、当該地図の線上または当該線から所定範囲内の、所定の条件を満たす上記イベント地点を、上記イベント記憶手段から検索するイベント地点検索手段と、上記イベント地点検索手段により検索された上記イベント地点に関する情報を出力部に出力するイベント出力制御手段と、を備えたことを特徴とする、情報出力システム。
【請求項２】
請求項１に記載の情報出力システムにおいて、上記地図表示制御手段は、上記地図上の上記基準点にマークを表示させ、上記入力制御手段は、上記入力部を介して、上記出力部に表示された上記マークに対する位置入力によって、上記移動要求を利用者に入力させることを特徴とする、情報出力システム。
【請求項３】
請求項２に記載の情報出力システムにおいて、上記イベント地点検索手段は、上記地図上を移動してきたマークの位置と、上記地図上の上記イベント地点が一致したときに、当該イベント地点に関する情報を出力することを特徴とする、情報出力システム。
【請求項４】
請求項１乃至３のいずれか一つに記載の情報出力システムにおいて、交通網を規定するネットワークデータを記憶するネットワークデータ記憶手段、を更に備え、上記イベント地点検索手段は、上記ネットワークデータの上記交通網の線上または当該線から所定範囲内の、上記所定の条件を満たす上記イベント地点を検索することを特徴とする、情報出力システム。
【請求項５】
請求項１乃至４のいずれか一つに記載の情報出力システムにおいて、上記地図表示制御手段は、上記地図情報記憶手段を参照して、上記基準点にかかる上記地図情報、または、上記イベント地点検索手段により検索された上記イベント地点にかかる上記地図情報を、上記出力部に出力することを特徴とする、情報出力システム。
【請求項６】
請求項１乃至５のいずれか一つに記載の情報出力システムにおいて、上記地図表示制御手段は、上記地図情報記憶手段を参照して、元の上記基準点から上記イベント地点までのスクロール制御時、または、元の上記基準点から上記イベント地点を経由して当該元の基準点の方向へ戻るスクロール制御時の地図情報を、上記出力部に出力することを特徴とする、情報出力システム。
【請求項７】
請求項１乃至６のいずれか一つに記載の情報出力システムにおいて、上記イベント地点は、渋滞箇所、規制箇所、行き止まり、Ｔ字路、ガイドポイント、目的地、交差点、および、行政界のうちの少なくとも一つであることを特徴とする、情報出力システム。
【請求項８】
請求項４に記載の情報出力システムにおいて、上記移動方向決定手段は、経路がある場合は、当該経路に沿って上記移動方向を決定し、一方、経路がない場合は、上記ネットワークデータに基づいて、元の上記基準点から上記交通網に沿って上記移動方向を決定することを特徴とする、情報出力システム。
【請求項９】
請求項６に記載の情報出力システムにおいて、上記地図表示制御手段は、元の上記基準点および上記スクロール制御中の上記基準点に基づいて、上記出力部に出力する上記地図情報の縮尺を決定することを特徴とする、情報出力システム。
【請求項１０】
請求項７に記載の情報出力システムにおいて、上記イベント地点は、交差点であり、上記イベント出力制御手段は、上記イベント地点検索手段により上記イベント地点として検索された上記交差点の詳細情報を上記出力部に出力することを特徴とする、情報出力システム。
【請求項１１】
請求項２または３に記載の情報出力システムにおいて、上記入力制御手段は、上記入力部を介した位置入力開始時に、移動量の目安を上記マーク周辺に表示させることを特徴とする、情報出力システム。
【請求項１２】
請求項２または３に記載の情報出力システムにおいて、上記基準点は、複数あり、上記地図表示制御手段は、上記地図上の上記各基準点に対応するマークを表示させることを特徴とする、情報出力システム。
【請求項１３】
記憶部と制御部を少なくとも備えたサーバ装置、および、入力部と出力部と制御部を少なくとも備えた端末装置、を通信可能に接続した情報出力システムにおいて、上記サーバ装置の上記記憶部は、地図情報に対応付けて、イベント地点に関する情報を記憶するイベント記憶手段、を備え、上記サーバ装置の上記制御部は、上記端末装置から送信される、移動要求を受信する移動要求受信手段と、上記移動要求に基づいて、移動方向を決定する移動方向決定手段と、上記移動方向に従って上記地図上を上記基準点が移動した場合の、当該地図の線上または当該線から所定範囲内の、所定の条件を満たす上記イベント地点を、上記イベント記憶手段から検索するイベント地点検索手段と、上記イベント地点検索手段により検索された上記イベント地点に関する情報を含む移動結果情報を生成する移動結果情報生成手段と、上記移動結果情報生成手段により生成された上記移動結果情報を上記端末装置に送信する移動結果情報送信手段と、を備え、上記端末装置の上記制御部は、上記地図情報に基づく地図が表示されるように出力部を制御する地図表示制御手段と、上記入力部を介して、上記出力部に表示された上記地図上の基準点に対する移動要求を利用者に入力させる入力制御手段と、上記入力制御手段により入力された上記移動要求を、上記サーバ装置に送信する移動要求送信手段と、上記サーバ装置から送信される、上記移動結果情報を受信する移動結果情報受信手段と、上記移動結果情報受信手段により受信された上記移動結果情報を上記出力部に出力するイベント出力制御手段と、を備えたことを特徴とする、情報出力システム。
【請求項１４】
入力部と出力部を少なくとも備えた端末装置に通信可能に接続された、記憶部と制御部を少なくとも備えたサーバ装置において、上記記憶部は、地図情報に対応付けて、イベント地点に関する情報を記憶するイベント記憶手段、を備え、上記制御部は、上記端末装置から送信される、上記入力部を介して入力された上記出力部に表示された地図上の基準点に対する移動要求を、受信する移動要求受信手段と、上記移動要求に基づいて、移動方向を決定する移動方向決定手段と、上記移動方向に従って上記地図上を上記基準点が移動した場合の、当該地図の線上または当該線から所定範囲内の、所定の条件を満たす上記イベント地点を、上記イベント記憶手段から検索するイベント地点検索手段と、上記イベント地点検索手段により検索された上記イベント地点に関する情報を含む移動結果情報を生成する移動結果情報生成手段と、上記移動結果情報生成手段により生成された上記移動結果情報を上記端末装置に送信することにより、当該移動結果情報を上記出力部に出力させる移動結果情報送信手段と、を備えたことを特徴とする、サーバ装置。
【請求項１５】
記憶部を少なくとも備えたサーバ装置に通信可能に接続された、入力部と出力部と制御部を少なくとも備えた端末装置において、上記記憶部は、地図情報に対応付けて、イベント地点に関する情報を記憶するイベント記憶手段、を備え、上記制御部は、上記地図情報に基づく地図が表示されるように出力部を制御する地図表示制御手段と、上記入力部を介して、上記出力部に表示された上記地図上の基準点に対する移動要求を利用者に入力させる入力制御手段と、上記入力制御手段により入力された上記移動要求を、上記サーバ装置に送信する移動要求送信手段と、上記サーバ装置から送信される、上記移動要求に基づいて決定された移動方向に従って上記地図上を上記基準点が移動した場合の、当該地図の線上または当該線から所定範囲内の、所定の条件を満たす上記イベント地点に関する情報を含む移動結果情報を受信する移動結果情報受信手段と、を備えたことを特徴とする、端末装置。
【請求項１６】
地図情報を記憶する地図情報記憶手段と、上記地図情報に対応付けて、イベント地点に関する情報を記憶するイベント記憶手段と、地図表示制御手段と、入力制御手段と、移動方向決定手段と、イベント地点検索手段と、イベント出力制御手段と、を備えた情報出力システムにおいて実行される情報出力方法であって、上記地図表示制御手段が、上記地図情報記憶手段に記憶された上記地図情報に基づく地図が表示されるように出力部を制御する地図表示制御ステップと、上記入力制御手段が、入力部を介して、上記出力部に表示された上記地図上の基準点に対する移動要求を利用者に入力させる入力制御ステップと、上記移動方向決定手段が、上記移動要求に基づいて、移動方向を決定する移動方向決定ステップと、上記イベント地点検索手段が、上記移動方向に従って上記地図上を上記基準点が移動した場合の、当該地図の線上または当該線から所定範囲内の、所定の条件を満たす上記イベント地点を、上記イベント記憶手段から検索するイベント地点検索ステップと、上記イベント出力制御手段が、上記イベント地点検索ステップにて検索された上記イベント地点に関する情報を出力部に出力するイベント出力制御ステップと、を含むことを特徴とする、情報出力方法。
【請求項１７】
記憶部と制御部を少なくとも備えたサーバ装置、および、入力部と出力部と制御部を少なくとも備えた端末装置、を通信可能に接続した情報出力システムにおいて実行される情報出力方法であって、上記サーバ装置の上記記憶部は、地図情報に対応付けて、イベント地点に関する情報を記憶するイベント記憶手段、を備え、上記端末装置の上記制御部において実行される、上記地図情報に基づく地図が表示されるように出力部を制御する地図表示制御ステップと、上記端末装置の上記制御部において実行される、上記入力部を介して、上記出力部に表示された上記地図上の基準点に対する移動要求を利用者に入力させる入力制御ステップと、上記端末装置の上記制御部において実行される、上記入力制御手段により入力された上記移動要求を、上記サーバ装置に送信する移動要求送信ステップと、上記サーバ装置の上記制御部において実行される、上記端末装置から送信される、移動要求を受信する移動要求受信ステップと、上記サーバ装置の上記制御部において実行される、上記移動要求に基づいて、移動方向を決定する移動方向決定ステップと、上記サーバ装置の上記制御部において実行される、上記移動方向に従って上記地図上を上記基準点が移動した場合の、当該地図の線上または当該線から所定範囲内の、所定の条件を満たす上記イベント地点を、上記イベント記憶手段から検索するイベント地点検索ステップと、上記サーバ装置の上記制御部において実行される、上記イベント地点検索手段により検索された上記イベント地点に関する情報を含む移動結果情報を生成する移動結果情報生成ステップと、上記サーバ装置の上記制御部において実行される、上記移動結果情報生成手段により生成された上記移動結果情報を上記端末装置に送信する移動結果情報送信ステップと、上記端末装置の上記制御部において実行される、上記サーバ装置から送信される、上記移動結果情報を受信する移動結果情報受信ステップと、上記端末装置の上記制御部において実行される、上記移動結果情報受信手段により受信された上記移動結果情報を上記出力部に出力するイベント出力制御ステップと、を含むことを特徴とする、情報出力方法。
【請求項１８】
入力部と出力部を少なくとも備えた端末装置に通信可能に接続された、記憶部と制御部を少なくとも備えたサーバ装置において実行される情報出力方法であって、上記記憶部は、地図情報に対応付けて、イベント地点に関する情報を記憶するイベント記憶手段、を備え、上記制御部において実行される、上記端末装置から送信される、上記入力部を介して入力された上記出力部に表示された地図上の基準点に対する移動要求を、受信する移動要求受信ステップと、上記移動要求に基づいて、移動方向を決定する移動方向決定ステップと、上記移動方向に従って上記地図上を上記基準点が移動した場合の、当該地図の線上または当該線から所定範囲内の、所定の条件を満たす上記イベント地点を、上記イベント記憶手段から検索するイベント地点検索ステップと、上記イベント地点検索ステップにて検索された上記イベント地点に関する情報を含む移動結果情報を生成する移動結果情報生成ステップと、上記移動結果情報生成ステップにて生成された上記移動結果情報を上記端末装置に送信することにより、当該移動結果情報を上記出力部に出力させる移動結果情報送信ステップと、を含むことを特徴とする、情報出力方法。
【請求項１９】
記憶部を少なくとも備えたサーバ装置に通信可能に接続された、入力部と出力部と制御部を少なくとも備えた端末装置において実行される情報出力方法であって、上記記憶部は、地図情報に対応付けて、イベント地点に関する情報を記憶するイベント記憶手段、を備え、上記制御部において実行される、上記地図情報に基づく地図が表示されるように出力部を制御する地図表示制御ステップと、上記入力部を介して、上記出力部に表示された上記地図上の基準点に対する移動要求を利用者に入力させる入力制御ステップと、上記入力制御手段により入力された上記移動要求を、上記サーバ装置に送信する移動要求送信ステップと、上記サーバ装置から送信される、上記移動要求に基づいて決定された移動方向に従って上記地図上を上記基準点が移動した場合の、当該地図の線上または当該線から所定範囲内の、所定の条件を満たす上記イベント地点に関する情報を含む移動結果情報を受信する移動結果情報受信ステップと、を含むことを特徴とする、情報出力方法。
【請求項２０】
地図情報を記憶する地図情報記憶手段と、上記地図情報に対応付けてイベント地点に関する情報を記憶するイベント記憶手段と、地図表示制御手段と、入力制御手段と、移動方向決定手段と、イベント地点検索手段と、イベント出力制御手段と、を備えた情報出力システムに実行させるためのプログラムであって、上記地図表示制御手段が、上記地図情報記憶手段に記憶された上記地図情報に基づく地図が表示されるように出力部を制御する地図表示制御ステップと、上記入力制御手段が、入力部を介して、上記出力部に表示された上記地図上の基準点に対する移動要求を利用者に入力させる入力制御ステップと、上記移動方向決定手段が、上記移動要求に基づいて、移動方向を決定する移動方向決定ステップと、上記イベント地点検索手段が、上記移動方向に従って上記地図上を上記基準点が移動した場合の、当該地図の線上または当該線から所定範囲内の、所定の条件を満たす上記イベント地点を、上記イベント記憶手段から検索するイベント地点検索ステップと、上記イベント出力制御手段が、上記イベント地点検索ステップにて検索された上記イベント地点に関する情報を出力部に出力するイベント出力制御ステップと、を実行させるためのプログラム。
【請求項２１】
入力部と出力部を少なくとも備えた端末装置に通信可能に接続された、記憶部と制御部を少なくとも備えたサーバ装置に実行させるためのプログラムであって、上記記憶部は、地図情報に対応付けて、イベント地点に関する情報を記憶するイベント記憶手段、を備え、上記制御部において、上記端末装置から送信される、上記入力部を介して入力された上記出力部に表示された地図上の基準点に対する移動要求を、受信する移動要求受信ステップと、上記移動要求に基づいて、移動方向を決定する移動方向決定ステップと、上記移動方向に従って上記地図上を上記基準点が移動した場合の、当該地図の線上または当該線から所定範囲内の、所定の条件を満たす上記イベント地点を、上記イベント記憶手段から検索するイベント地点検索ステップと、上記イベント地点検索ステップにて検索された上記イベント地点に関する情報を含む移動結果情報を生成する移動結果情報生成ステップと、上記移動結果情報生成ステップにて生成された上記移動結果情報を上記端末装置に送信することにより、当該移動結果情報を上記出力部に出力させる移動結果情報送信ステップと、を実行させるためのプログラム。
【請求項２２】
記憶部を少なくとも備えたサーバ装置に通信可能に接続された、入力部と出力部と制御部を少なくとも備えた端末装置に実行させるためのプログラムであって、上記記憶部は、地図情報に対応付けて、イベント地点に関する情報を記憶するイベント記憶手段、を備え、上記制御部において、上記地図情報に基づく地図が表示されるように出力部を制御する地図表示制御ステップと、上記入力部を介して、上記出力部に表示された上記地図上の基準点に対する移動要求を利用者に入力させる入力制御ステップと、上記入力制御手段により入力された上記移動要求を、上記サーバ装置に送信する移動要求送信ステップと、上記サーバ装置から送信される、上記移動要求に基づいて決定された移動方向に従って上記地図上を上記基準点が移動した場合の、当該地図の線上または当該線から所定範囲内の、所定の条件を満たす上記イベント地点に関する情報を含む移動結果情報を受信する移動結果情報受信ステップと、を実行させるためのプログラム。
【発明の詳細な説明】
【技術分野】
【０００１】
本発明は、情報出力システム、サーバ装置、端末装置、情報出力方法、および、プログラムに関する。
【背景技術】
【０００２】
従来、地図の表示において、表示画面に表示されていない地図領域を、スクロール表示制御等によって表示させる技術が開発されている。
【０００３】
例えば、特許文献１においては、２地点間のルートに沿って、所定幅で段階的に地図の更新表示を行うことが開示されている。
【０００４】
また、特許文献２においては、経路上を移動する仮想的な移動点と、入力した接触点とが一致するように、経路図をスクロール制御し、スクロール中に経路関連情報がある位置に到達した場合に振動させて利用者に報知することが開示されている。
【０００５】
また、特許文献３においては、現在地を起点とした方位上であって、その方位から所定範囲内に含まれる位置に関連付けられたデータを検索することが開示されている。
【先行技術文献】
【特許文献】
【０００６】
【特許文献１】特開平１１−２１８４２７号公報
【特許文献２】特開２００７−２１２９７５号公報
【特許文献３】特開２０１１−７１６０１号公報
【発明の概要】
【発明が解決しようとする課題】
【０００７】
しかしながら、従来の技術においては、スクロール表示等による地図の更新と、地図更新に伴う地点の情報取得のために、煩雑な操作が必要になるという問題点を有していた。
【０００８】
例えば、特許文献１に記載の装置では、移動方向を指定するタッチスイッチを押下することによってスクロールすることができるが、地図の更新に伴う地点情報の検索や移動方向や速度の制御を簡単な操作で行うことができないという問題点を有していた。また、特許文献２に記載の装置では、指が触れた位置に自車位置マークが重なるように制御するものであり、移動方向や速度の制御を簡単な操作で行うことができないという問題点を有していた。また、特許文献３に記載の装置では、端末の傾きを検知する六軸センサ等によって利用者の所望の方位を検出することができるものの、道路形状や道路状態を考慮しながら仮想移動体の移動方向や速度を制御することができないという問題点を有していた。
【０００９】
本発明は、上記問題点に鑑みてなされたもので、地図の更新と地図の更新に伴う情報の取得を簡便な操作で行うことができる、情報出力システム、サーバ装置、端末装置、情報出力方法、および、プログラムを提供することを目的とする。
【課題を解決するための手段】
【００１０】
このような目的を達成するため、本発明の情報出力システムは、地図情報を記憶する地図情報記憶手段と、上記地図情報に対応付けて、イベント地点に関する情報を記憶するイベント記憶手段と、上記地図情報記憶手段に記憶された上記地図情報に基づく地図が表示されるように出力部を制御する地図表示制御手段と、入力部を介して、上記出力部に表示された上記地図上の基準点に対する移動要求を利用者に入力させる入力制御手段と、上記移動要求に基づいて、移動方向を決定する移動方向決定手段と、上記移動方向に従って上記地図上を上記基準点が移動した場合の、当該地図の線上または当該線から所定範囲内の、所定の条件を満たす上記イベント地点を、上記イベント記憶手段から検索するイベント地点検索手段と、上記イベント地点検索手段により検索された上記イベント地点に関する情報を出力部に出力するイベント出力制御手段と、を備えたことを特徴とする。
【００１１】
また、本発明の情報出力システムは、上記記載の情報出力システムにおいて、上記地図表示制御手段は、上記地図上の上記基準点にマークを表示させ、上記入力制御手段は、上記入力部を介して、上記出力部に表示された上記マークに対する位置入力によって、上記移動要求を利用者に入力させることを特徴とする。
【００１２】
また、本発明の情報出力システムは、上記記載の情報出力システムにおいて、上記イベント地点検索手段は、上記地図上を移動してきたマークの位置と、上記地図上の上記イベント地点が一致したときに、当該イベント地点に関する情報を出力することを特徴とする。
【００１３】
また、本発明の情報出力システムは、上記記載の情報出力システムにおいて、交通網を規定するネットワークデータを記憶するネットワークデータ記憶手段、を更に備え、上記イベント地点検索手段は、上記ネットワークデータの上記交通網の線上または当該線から所定範囲内の、上記所定の条件を満たす上記イベント地点を検索することを特徴とする。
【００１４】
また、本発明の情報出力システムは、上記記載の情報出力システムにおいて、上記地図表示制御手段は、上記地図情報記憶手段を参照して、上記基準点にかかる上記地図情報、または、上記イベント地点検索手段により検索された上記イベント地点にかかる上記地図情報を、上記出力部に出力することを特徴とする。
【００１５】
また、本発明の情報出力システムは、上記記載の情報出力システムにおいて、上記地図表示制御手段は、上記地図情報記憶手段を参照して、元の上記基準点から上記イベント地点までのスクロール制御時、または、元の上記基準点から上記イベント地点を経由して当該元の基準点の方向へ戻るスクロール制御時の地図情報を、上記出力部に出力することを特徴とする。
【００１６】
また、本発明の情報出力システムは、上記記載の情報出力システムにおいて、上記イベント地点は、渋滞箇所、規制箇所、行き止まり、Ｔ字路、ガイドポイント、目的地、交差点、および、行政界のうちの少なくとも一つであることを特徴とする。
【００１７】
また、本発明の情報出力システムは、上記記載の情報出力システムにおいて、上記移動方向決定手段は、経路がある場合は、当該経路に沿って上記移動方向を決定し、一方、経路がない場合は、上記ネットワークデータに基づいて、元の上記基準点から上記交通網に沿って上記移動方向を決定することを特徴とする。
【００１８】
また、本発明の情報出力システムは、上記記載の情報出力システムにおいて、上記地図表示制御手段は、元の上記基準点および上記スクロール制御中の上記基準点に基づいて、上記出力部に出力する上記地図情報の縮尺を決定することを特徴とする。
【００１９】
また、本発明の情報出力システムは、上記記載の情報出力システムにおいて、上記イベント地点は、交差点であり、上記イベント出力制御手段は、上記イベント地点検索手段により上記イベント地点として検索された上記交差点の詳細情報を上記出力部に出力することを特徴とする。
【００２０】
また、本発明の情報出力システムは、上記記載の情報出力システムにおいて、上記入力制御手段は、上記入力部を介した位置入力開始時に、移動量の目安を上記マーク周辺に表示させることを特徴とする。
【００２１】
また、本発明の情報出力システムは、上記記載の情報出力システムにおいて、上記基準点は、複数あり、上記地図表示制御手段は、上記地図上の上記各基準点に対応するマークを表示させることを特徴とする。
【００２２】
また、本発明の情報出力システムは、上記記載の情報出力システムにおいて、記憶部と制御部を少なくとも備えたサーバ装置、および、入力部と出力部と制御部を少なくとも備えた端末装置、を通信可能に接続した情報出力システムにおいて、上記サーバ装置の上記記憶部は、地図情報に対応付けて、イベント地点に関する情報を記憶するイベント記憶手段、を備え、上記サーバ装置の上記制御部は、上記端末装置から送信される、移動要求を受信する移動要求受信手段と、上記移動要求に基づいて、移動方向を決定する移動方向決定手段と、上記移動方向に従って上記地図上を上記基準点が移動した場合の、当該地図の線上または当該線から所定範囲内の、所定の条件を満たす上記イベント地点を、上記イベント記憶手段から検索するイベント地点検索手段と、上記イベント地点検索手段により検索された上記イベント地点に関する情報を含む移動結果情報を生成する移動結果情報生成手段と、上記移動結果情報生成手段により生成された上記移動結果情報を上記端末装置に送信する移動結果情報送信手段と、を備え、上記端末装置の上記制御部は、上記地図情報に基づく地図が表示されるように出力部を制御する地図表示制御手段と、上記入力部を介して、上記出力部に表示された上記地図上の基準点に対する移動要求を利用者に入力させる入力制御手段と、上記入力制御手段により入力された上記移動要求を、上記サーバ装置に送信する移動要求送信手段と、上記サーバ装置から送信される、上記移動結果情報を受信する移動結果情報受信手段と、上記移動結果情報受信手段により受信された上記移動結果情報を上記出力部に出力するイベント出力制御手段と、を備えたことを特徴とする。
【００２３】
また、本発明のサーバ装置は、入力部と出力部を少なくとも備えた端末装置に通信可能に接続された、記憶部と制御部を少なくとも備えたサーバ装置において、上記記憶部は、地図情報に対応付けて、イベント地点に関する情報を記憶するイベント記憶手段、を備え、上記制御部は、上記端末装置から送信される、上記入力部を介して入力された上記出力部に表示された地図上の基準点に対する移動要求を、受信する移動要求受信手段と、上記移動要求に基づいて、移動方向を決定する移動方向決定手段と、上記移動方向に従って上記地図上を上記基準点が移動した場合の、当該地図の線上または当該線から所定範囲内の、所定の条件を満たす上記イベント地点を、上記イベント記憶手段から検索するイベント地点検索手段と、上記イベント地点検索手段により検索された上記イベント地点に関する情報を含む移動結果情報を生成する移動結果情報生成手段と、上記移動結果情報生成手段により生成された上記移動結果情報を上記端末装置に送信することにより、当該移動結果情報を上記出力部に出力させる移動結果情報送信手段と、を備えたことを特徴とする。
【００２４】
また、本発明の端末装置は、記憶部を少なくとも備えたサーバ装置に通信可能に接続された、入力部と出力部と制御部を少なくとも備えた端末装置において、上記記憶部は、地図情報に対応付けて、イベント地点に関する情報を記憶するイベント記憶手段、を備え、上記制御部は、上記地図情報に基づく地図が表示されるように出力部を制御する地図表示制御手段と、上記入力部を介して、上記出力部に表示された上記地図上の基準点に対する移動要求を利用者に入力させる入力制御手段と、上記入力制御手段により入力された上記移動要求を、上記サーバ装置に送信する移動要求送信手段と、上記サーバ装置から送信される、上記移動要求に基づいて決定された移動方向に従って上記地図上を上記基準点が移動した場合の、当該地図の線上または当該線から所定範囲内の、所定の条件を満たす上記イベント地点に関する情報を含む移動結果情報を受信する移動結果情報受信手段と、を備えたことを特徴とする。
【００２５】
また、本発明の情報出力方法は、地図情報を記憶する地図情報記憶手段と、上記地図情報に対応付けて、イベント地点に関する情報を記憶するイベント記憶手段と、地図表示制御手段と、入力制御手段と、移動方向決定手段と、イベント地点検索手段と、イベント出力制御手段と、を備えた情報出力システムにおいて実行される情報出力方法であって、上記地図表示制御手段が、上記地図情報記憶手段に記憶された上記地図情報に基づく地図が表示されるように出力部を制御する地図表示制御ステップと、上記入力制御手段が、入力部を介して、上記出力部に表示された上記地図上の基準点に対する移動要求を利用者に入力させる入力制御ステップと、上記移動方向決定手段が、上記移動要求に基づいて、移動方向を決定する移動方向決定ステップと、上記イベント地点検索手段が、上記移動方向に従って上記地図上を上記基準点が移動した場合の、当該地図の線上または当該線から所定範囲内の、所定の条件を満たす上記イベント地点を、上記イベント記憶手段から検索するイベント地点検索ステップと、上記イベント出力制御手段が、上記イベント地点検索ステップにて検索された上記イベント地点に関する情報を出力部に出力するイベント出力制御ステップと、を含むことを特徴とする。
【００２６】
また、本発明の情報出力方法は、記憶部と制御部を少なくとも備えたサーバ装置、および、入力部と出力部と制御部を少なくとも備えた端末装置、を通信可能に接続した情報出力システムにおいて実行される情報出力方法であって、上記サーバ装置の上記記憶部は、地図情報に対応付けて、イベント地点に関する情報を記憶するイベント記憶手段、を備え、上記端末装置の上記制御部において実行される、上記地図情報に基づく地図が表示されるように出力部を制御する地図表示制御ステップと、上記端末装置の上記制御部において実行される、上記入力部を介して、上記出力部に表示された上記地図上の基準点に対する移動要求を利用者に入力させる入力制御ステップと、上記端末装置の上記制御部において実行される、上記入力制御手段により入力された上記移動要求を、上記サーバ装置に送信する移動要求送信ステップと、上記サーバ装置の上記制御部において実行される、上記端末装置から送信される、移動要求を受信する移動要求受信ステップと、上記サーバ装置の上記制御部において実行される、上記移動要求に基づいて、移動方向を決定する移動方向決定ステップと、上記サーバ装置の上記制御部において実行される、上記移動方向に従って上記地図上を上記基準点が移動した場合の、当該地図の線上または当該線から所定範囲内の、所定の条件を満たす上記イベント地点を、上記イベント記憶手段から検索するイベント地点検索ステップと、上記サーバ装置の上記制御部において実行される、上記イベント地点検索手段により検索された上記イベント地点に関する情報を含む移動結果情報を生成する移動結果情報生成ステップと、上記サーバ装置の上記制御部において実行される、上記移動結果情報生成手段により生成された上記移動結果情報を上記端末装置に送信する移動結果情報送信ステップと、上記端末装置の上記制御部において実行される、上記サーバ装置から送信される、上記移動結果情報を受信する移動結果情報受信ステップと、上記端末装置の上記制御部において実行される、上記移動結果情報受信手段により受信された上記移動結果情報を上記出力部に出力するイベント出力制御ステップと、を含むことを特徴とする。
【００２７】
また、本発明の情報出力方法は、入力部と出力部を少なくとも備えた端末装置に通信可能に接続された、記憶部と制御部を少なくとも備えたサーバ装置において実行される情報出力方法であって、上記記憶部は、地図情報に対応付けて、イベント地点に関する情報を記憶するイベント記憶手段、を備え、上記制御部において実行される、上記端末装置から送信される、上記入力部を介して入力された上記出力部に表示された地図上の基準点に対する移動要求を、受信する移動要求受信ステップと、上記移動要求に基づいて、移動方向を決定する移動方向決定ステップと、上記移動方向に従って上記地図上を上記基準点が移動した場合の、当該地図の線上または当該線から所定範囲内の、所定の条件を満たす上記イベント地点を、上記イベント記憶手段から検索するイベント地点検索ステップと、上記イベント地点検索ステップにて検索された上記イベント地点に関する情報を含む移動結果情報を生成する移動結果情報生成ステップと、上記移動結果情報生成ステップにて生成された上記移動結果情報を上記端末装置に送信することにより、当該移動結果情報を上記出力部に出力させる移動結果情報送信ステップと、を含むことを特徴とする。
【００２８】
また、本発明の情報出力方法は、記憶部を少なくとも備えたサーバ装置に通信可能に接続された、入力部と出力部と制御部を少なくとも備えた端末装置において実行される情報出力方法であって、上記記憶部は、地図情報に対応付けて、イベント地点に関する情報を記憶するイベント記憶手段、を備え、上記制御部において実行される、上記地図情報に基づく地図が表示されるように出力部を制御する地図表示制御ステップと、上記入力部を介して、上記出力部に表示された上記地図上の基準点に対する移動要求を利用者に入力させる入力制御ステップと、上記入力制御手段により入力された上記移動要求を、上記サーバ装置に送信する移動要求送信ステップと、上記サーバ装置から送信される、上記移動要求に基づいて決定された移動方向に従って上記地図上を上記基準点が移動した場合の、当該地図の線上または当該線から所定範囲内の、所定の条件を満たす上記イベント地点に関する情報を含む移動結果情報を受信する移動結果情報受信ステップと、を含むことを特徴とする。
【００２９】
また、本発明のプログラムは、地図情報を記憶する地図情報記憶手段と、上記地図情報に対応付けてイベント地点に関する情報を記憶するイベント記憶手段と、地図表示制御手段と、入力制御手段と、移動方向決定手段と、イベント地点検索手段と、イベント出力制御手段と、を備えた情報出力システムに実行させるためのプログラムであって、上記地図表示制御手段が、上記地図情報記憶手段に記憶された上記地図情報に基づく地図が表示されるように出力部を制御する地図表示制御ステップと、上記入力制御手段が、入力部を介して、上記出力部に表示された上記地図上の基準点に対する移動要求を利用者に入力させる入力制御ステップと、上記移動方向決定手段が、上記移動要求に基づいて、移動方向を決定する移動方向決定ステップと、上記イベント地点検索手段が、上記移動方向に従って上記地図上を上記基準点が移動した場合の、当該地図の線上または当該線から所定範囲内の、所定の条件を満たす上記イベント地点を、上記イベント記憶手段から検索するイベント地点検索ステップと、上記イベント出力制御手段が、上記イベント地点検索ステップにて検索された上記イベント地点に関する情報を出力部に出力するイベント出力制御ステップと、を実行させることを特徴とする。
【００３０】
また、本発明のプログラムは、入力部と出力部を少なくとも備えた端末装置に通信可能に接続された、記憶部と制御部を少なくとも備えたサーバ装置に実行させるためのプログラムであって、上記記憶部は、地図情報に対応付けて、イベント地点に関する情報を記憶するイベント記憶手段、を備え、上記制御部において、上記端末装置から送信される、上記入力部を介して入力された上記出力部に表示された地図上の基準点に対する移動要求を、受信する移動要求受信ステップと、上記移動要求に基づいて、移動方向を決定する移動方向決定ステップと、上記移動方向に従って上記地図上を上記基準点が移動した場合の、当該地図の線上または当該線から所定範囲内の、所定の条件を満たす上記イベント地点を、上記イベント記憶手段から検索するイベント地点検索ステップと、上記イベント地点検索ステップにて検索された上記イベント地点に関する情報を含む移動結果情報を生成する移動結果情報生成ステップと、上記移動結果情報生成ステップにて生成された上記移動結果情報を上記端末装置に送信することにより、当該移動結果情報を上記出力部に出力させる移動結果情報送信ステップと、を実行させることを特徴とする。
【００３１】
また、本発明のプログラムは、記憶部を少なくとも備えたサーバ装置に通信可能に接続された、入力部と出力部と制御部を少なくとも備えた端末装置に実行させるためのプログラムであって、上記記憶部は、地図情報に対応付けて、イベント地点に関する情報を記憶するイベント記憶手段、を備え、上記制御部において、上記地図情報に基づく地図が表示されるように出力部を制御する地図表示制御ステップと、上記入力部を介して、上記出力部に表示された上記地図上の基準点に対する移動要求を利用者に入力させる入力制御ステップと、上記入力制御手段により入力された上記移動要求を、上記サーバ装置に送信する移動要求送信ステップと、上記サーバ装置から送信される、上記移動要求に基づいて決定された移動方向に従って上記地図上を上記基準点が移動した場合の、当該地図の線上または当該線から所定範囲内の、所定の条件を満たす上記イベント地点に関する情報を含む移動結果情報を受信する移動結果情報受信ステップと、を実行させることを特徴とする。
【００３２】
また、本発明は記録媒体に関するものであり、上記記載のプログラムを記録したことを特徴とする。
【００３３】
この記録媒体によれば、当該記録媒体に記録されたプログラムをコンピュータに読み取らせて実行させることによって、上記記載された方法を、コンピュータを利用して実現することができ、これら各方法と同様の効果を得ることができる。
【発明の効果】
【００３４】
この発明によれば、地図情報を記憶し、地図情報に対応付けて、イベント地点に関する情報を記憶し、地図情報に基づく地図が表示されるように出力部を制御し、入力部を介して、出力部に表示された地図上の基準点に対する移動要求を利用者に入力させ、移動要求に基づいて移動方向を決定し、移動方向に従って地図上を基準点が移動した場合の、当該地図の線上または当該線から所定範囲内の、所定の条件を満たすイベント地点を検索し、検索したイベント地点に関する情報を出力部に出力する。これにより、本発明は、地図の更新と地図の更新に伴うイベント情報の取得を簡便な操作で行うことができる、という効果を奏する。
【００３５】
また、本発明によれば、上記において、交通網を規定するネットワークデータを記憶し、ネットワークデータの交通網の線上または当該線から所定範囲内の、所定の条件を満たすイベント地点を検索するので、現実の交通網に従った移動を仮想的に行って、その移動に伴うイベント地点の情報を取得することができるという効果を奏する。
【００３６】
また、本発明によれば、上記において、基準点にかかる地図情報、または、検索されたイベント地点にかかる地図情報を、出力部に出力するので、利用者は、基準点周辺の地図やイベント地点周辺の地理を把握することができるという効果を奏する。
【００３７】
また、本発明によれば、上記において、元の基準点からイベント地点までのスクロール制御時、または、元の上記基準点からイベント地点を経由して当該元の基準点の方向へ戻るスクロール制御時の地図情報を出力部に出力するので、利用者は、元の基準点の位置からイベント地点までの周辺の地理を把握することができるという効果を奏する。
【００３８】
また、本発明によれば、上記において、イベント地点は、渋滞箇所、規制箇所、行き止まり、Ｔ字路、ガイドポイント、目的地、交差点、および、行政界のうちの少なくとも一つであるので、利用者は、これらの仮想的な移動を行った際に、これらの地点を容易に見つけることができるという効果を奏する。
【００３９】
また、本発明によれば、上記において、経路がある場合は、当該経路に沿って移動方向を決定し、一方、経路がない場合は、ネットワークデータに基づいて、移動要求が入力された入力位置からの交通網に沿って移動方向を決定するので、利用者は、経路に沿って仮想的に移動した場合や、交通網に沿って仮想的に移動した場合の、イベント地点の情報を容易に取得することができるという効果を奏する。
【００４０】
また、本発明によれば、上記において、元の基準点およびスクロール制御中の基準点に基づいて、出力部に出力する地図情報の縮尺を決定するので、例えば、元の基準点とスクロール制御中の基準点を含むように地図を表示することができ、利用者は容易に移動起点から終点までの全体地図を得ることができるという効果を奏する。
【００４１】
また、本発明によれば、上記において、地図上の基準点にマークを表示させ、入力部を介して、出力部に表示されたマークに対する位置入力によって、移動要求を利用者に入力させるので、利用者は、仮想的な移動体として地図上のマークを移動させることによって、容易に入力操作を行うことができるという効果を奏する。
【００４２】
また、本発明によれば、上記において、イベント地点は、交差点であり、イベント地点として検索された交差点の詳細情報を出力部に出力するので、利用者は、交差点を容易に見つけることができるとともに、その交差点の形状や案内図をサムネイル等によって詳細に把握することができるという効果を奏する。
【００４３】
また、本発明によれば、上記において、交差点の詳細情報に対して入力部を介した入力があった場合、当該交差点に関する情報を出力部に出力するので、利用者は、交差点に関する詳細情報以外の情報等を把握することができるという効果を奏する。
【００４４】
また、本発明によれば、上記において、所定の条件は、時間条件であるので、一定時間に達するごとにイベント地点の情報を出力して、仮想的な移動にかかる地点の情報を得ることができるという効果を奏する。
【００４５】
また、本発明によれば、上記において、入力部を介した位置入力開始時に、移動量の目安をマーク周辺に表示させるので、利用者は、仮想的な移動体として基準点をどの程度移動させるべきかの目安を把握することができるという効果を奏する。
【００４６】
また、本発明によれば、上記において、基準点は複数あり、地図上の各基準点に対応するマークを表示させるので、複数の仮想的な移動体を地図上で見比べながら複数の移動ルートにおけるイベント地点の情報を把握することができるという効果を奏する。
【図面の簡単な説明】
【００４７】
【図１】図１は、第１の実施形態における情報出力システムの構成の一例を示すブロック図である。
【図２】図２は、第１の実施形態における情報出力システムの処理の一例を示すフローチャートである。
【図３】図３は、基準点マーク「おはじき」が重畳表示された地図表示画面の一例を示す図である。
【図４】図４は、図３に示した地図上の基準点マーク「おはじき」の操作例と移動例を示す図である。
【図５】図５は、時刻ｔ４において、基準点マーク「おはじき」が当初（時刻ｔ０）の地図表示領域外へ移動した場合に表示される表示画面の一例を示す図である。
【図６】図６は、基準点マーク「おはじき」が地図表示領域外へ移動した場合に表示される表示画面の遷移例を示す図である。
【図７】図７は、基準点マーク「おはじき」が地図表示領域外へ移動した場合に表示される表示画面の遷移例を示す図である。
【図８】図８は、情報出力システムの処理における、端末装置１００の詳細な処理の一例を示す図である。
【図９】図９は、スクロール制御による表示画面の一例を示す図である。
【図１０】図１０は、図９に示した表示画面から遷移した画面例を示す図である。
【図１１】図１１は、図９に示した表示画面から遷移した画面の他の例を示す図である。
【図１２】図１２は、図９に示した表示画面から遷移した画面の他の例を示す図である。
【図１３】図１３は、移動量を示すスケールを示す図である。
【図１４】図１４は、複数の基準点マークが表示された画面の一例を示す図である。
【図１５】図１５は、第２の実施形態における情報出力システムである情報出力装置４００の構成の一例を示すブロック図である。
【図１６】図１６は、第２の実施形態における情報出力装置４００の処理の一例を示すフローチャートである。
【発明を実施するための形態】
【００４８】
以下に、本発明にかかる情報出力システム、サーバ装置、端末装置、情報出力方法、および、プログラムの実施の形態を図面に基づいて詳細に説明する。なお、この実施の形態によりこの発明が限定されるものではない。
【００４９】
以下、本発明における情報出力システムの構成および処理について、第１の実施形態、および、第２の実施形態の順にて詳細に説明する。
【００５０】
［第１の実施形態］
最初に、本発明の第１の実施形態にかかる情報出力システムについて、図１から図１４を参照して説明する。但し、以下に示す第１の実施形態は、本発明の技術思想を具体化するための情報出力システムを例示するものであって、本発明をこの情報出力システムに特定することを意図するものではなく、特許請求の範囲に含まれるその他の実施形態の情報出力システムにも等しく適用し得るものである。例えば、第１の実施形態で例示する情報出力システムにおけるサーバ側と端末側の機能分散の形態は以下に限られず、同様の効果や機能を奏し得る範囲において、任意の単位で機能的または物理的に分散・統合して構成することができる。
【００５１】
［情報出力システムの構成］
まず、第１の実施形態における情報出力システムの構成の一例について、図１を参照して説明する。図１は、第１の実施形態における情報出力システムの構成の一例を示すブロック図であり、該構成のうち本発明に関係する部分のみを概念的に示している。なお、本実施形態においては、通信型のナビゲーションを提供する情報出力システムを具体例として説明するが、本発明はこれに限ることなく、スタンドアローンタイプの情報出力システムなどにも適用可能である。
【００５２】
図１に示すように、本実施形態の情報出力システムは、概略的に、地図情報提供等を行うことができるサーバ装置２００、および、単数または複数の端末装置１００、を通信可能に接続して構成される。なお、図１においては、一の端末装置１００を代表的に図示しているが、これに限られず、同様の構成をもつ複数の端末装置１００を備えてもよい。ここで、図１に示すように、通信には、一例として、ネットワーク３００を介した有線・無線通信等の遠隔通信等を含む。また、これら情報出力システムの各部は任意の通信路を介して通信可能に接続されている。
【００５３】
図１に示すように、第１の実施形態の情報出力システムにおいて、サーバ装置２００は、概略的に、制御部２０２と記憶部２０６とを備えており、端末装置１００は、位置取得部１１２と出力部１１４と入力部１１６と制御部１０２と記憶部１０６とを備える。
【００５４】
［サーバ装置２００の構成］
ここで、図１において、サーバ装置２００は、端末装置１００から送信される、移動要求を受信し、移動要求に基づいて、移動方向を決定し、移動方向に従って地図上を基準点が移動した場合の、当該地図の線上または当該線から所定範囲内の、所定の条件を満たすイベント地点を、記憶部２０６から検索し、検索されたイベント地点に関する情報を含む移動結果情報を生成し、生成した移動結果情報を端末装置１００に送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置およびＳＳＤ（Ｓｏｌｉｄ  Ｓｔａｔｅ  Ｄｒｉｖｅ）等のストレージ手段であり、各種のデータベースやテーブル（ネットワークデータベース２０６ａ、地図データベース２０６ｂ、イベントデータベース２０６ｃ、および、案内データベース２０６ｄ等）を格納する。
【００５５】
これら記憶部２０６の各構成要素のうち、ネットワークデータベース２０６ａは、交通網を規定するネットワークデータを記憶するネットワークデータ記憶手段である。ここで、ネットワークデータベース２０６ａに記憶されるネットワークデータは、道路ネットワークデータの他、路線網ネットワークデータ、施設内ネットワークデータ等の交通機関の交通ネットワークデータであってもよい。ここで、ネットワークデータベース２０６ａは、イベント地点として後述するノードに関する情報を記憶するイベント記憶手段として機能してもよい。これらネットワークデータは、ネットワークデータベース２０６ａに予め記憶されており、サーバ装置２００の制御部２０２は、定期的に、および／または、制御部２０２による処理に応じて（例えば、制御部２０２においてデータが必要となる契機等）、ネットワーク３００を介して最新のデータを外部機器６００（例えば、ネットワークデータを提供するネットワークデータサーバなど）等からダウンロードしてネットワークデータベース２０６ａに記憶されたネットワークデータをアップデートしてもよい。
【００５６】
ここで、ネットワークデータベース２０６ａに記憶される道路ネットワークデータは、道路網を規定するネットワークデータであり、例えば、交差点や分岐点等の道路網表現上の結節点であるノードのノードデータと、ノード間の道路区間であるリンクのリンクデータとの組み合わせによって表現されるネットワークデータである。ノードデータには、ノード番号、緯度経度等の位置座標、ノード種別、接続するリンク本数、接続ノード番号、信号機や一時停止標識等の車両停止位置、および、交差点名称等を含んでいてもよい。また、リンクデータには、リンク番号、接続する道路の種別、国道や県道や市道等の路線番号、重用する路線情報、リンクの存在する行政区域の属性情報、リンク長、道路供用状況、異常気象時通行規制区間、車重制限、車両高さ制限、幅員、道路幅員区分、車線数、制限速度など交通規制、一時停止標識や踏切直前等の車両停止位置、高架やトンネルや橋等のリンク内属性、所要時間、および、名称等を含んでいてもよい。特に、リンクデータは、当該リンクのリンクコストを含んでいてもよく、例えば、当該道路リンクを通過するのに必要な時間や、距離や、利用運賃料金データ等の料金に関するデータを含んでいてもよい。また、道路ネットワークデータは、交通規制データや利用運賃料金データ等を含んでいてもよい。ここで、交通規制データは、各種の交通規制を定義するデータであり、例えば、道路の損壊や道路工事等による車両通行止、交通の安全を確保するために設置されるコミュニティ・ゾーン等による一般車の進入禁止、および、私有地への接続路であることによる一般車の進入禁止等の情報などを含んでもよい。なお、雨天時等の天候等の変動要因によって、平均通過速度や制限速度に変動がある場合や通行止めとなる場合、それらの速度データ等もリンクデータに格納される。また、利用運賃料金データは、自動車、オートバイ等で移動する場合に消費する燃料料金、高速自動車国道や自動車専用道路等の有料道路の通行料金等を表す情報等であってもよい。なお、有料道路の料金が休日割引やＥＴＣ割引、高速無料化等に伴って変動する場合、利用運賃料金データは、それら変動する料金データも含む。また、道路ネットワークデータは、自動車、オートバイ、自転車、徒歩等で移動する場合の経路上に存在する施設等の地点の緯度経度情報などの位置情報等を記憶してもよい。なお、ネットワークデータには、ノードとリンクで構成される各案内経路についての評価を行うために、ノード番号やリンク番号等に対応付けて評価用情報が格納されてもよい。一例として、評価用情報として交通規制データは、各種の交通規制を定義するデータであり、例えば、道路の損壊や道路工事等による車両通行止、交通の安全を確保するために設置されるコミュニティ・ゾーン等による一般車の進入禁止、私有地への接続路であることによる一般車の進入禁止等の情報などを含む。
【００５７】
ネットワークデータベース２０６ａに記憶される交通ネットワークデータは、電車やバス、飛行機、および、船等の各交通機関（例えば、公共交通機関等）等の路線網等を規定したネットワークデータである。一例として、交通ネットワークデータは、電車の路線網を規定した路線網ネットワークデータであってもよく、バスの路線網を規定した路線網ネットワークデータであってもよい。例えば、ネットワークデータベース２０６ａに記憶される交通ネットワークデータは、電車、飛行機、バス、路面電車、ロープウェイ、モノレール、ケーブルカー、および、船等の各交通機関の路線網を規定するネットワークデータであり、例えば、駅、空港、港、および、停留所（バス停など）等の停止位置などの路線網表現上の結節点であるノードのノードデータと、ノード間を接続する鉄道路線、航空路線、航路、および、バス路線等のリンクのリンクデータとの組み合わせによって表現されるネットワークデータである。なお、ノードデータには、ノード番号（例えば、ノードＩＤ等）、ノードの名称（例えば、交通機関の停留地点の名称である駅名、停留場名、停車場名、停留所名、空港名、港名、および、ターミナルの名称等）、ノード種別、接続するリンク本数、接続ノード番号、および、線路が交差する駅名、時刻表データおよび、緯度経度高度などの位置座標等の情報を含んでいてもよい。また、リンクデータには、リンク番号（例えば、リンクＩＤ等）、開始ノードＩＤ、終了ノードＩＤ、接続する駅等の種別、リンク長（例えば、距離等）、列車等の路線番号、重用する路線情報、リンクの存在する行政区域の属性情報、道路供用状況、異常気象時通行規制区間、車重制限、車両高さ制限、幅員、道路幅員区分、車線数、平均通過速度、制限速度など交通規制、高架やトンネルおよび橋等のリンク内属性、ならびに、名称（例えば、路線名など）等の情報を含んでいてもよい。なお、雨天時等の天候等の変動要因によって、平均通過速度や制限速度に変動がある場合、それらの速度データもリンクデータに格納される。また、交通ネットワークデータは、交通機関の利用運賃料金データ、および、乗車位置データ等を含んでいてもよい。ここで、利用運賃料金データは、例えば、電車、飛行機、バス、路面電車、ロープウェイ、モノレール、ケーブルカー、および、船等の各交通機関を利用した場合に生じる利用運賃料金等を表す情報等であってもよい。ここで、路線とは、交通機関が通過する出発地と目的地とを結ぶ線であってもよい。また、鉄道とは、ルート上に設置された固定式案内路（レール、および案内軌条など）等に誘導されて走行し、旅客や貨物等を輸送する交通機関であり、例えば、電車、路面電車、ロープウェイ、モノレール、ケーブルカー、および、リニアモーターカー等であってもよい。また、路線網ネットワークデータは、更に、交通機関の種別（例えば、特急、急行、準急、快速、快速急行、通勤特急、通勤快速、通勤急行、区間急行、区間準急、区間快速、各駅停車、および、普通など）に対応したノード（例えば、急行停車駅、準急停車駅、および、快速停車駅等）のノードデータと、当該ノード間を接続する鉄道路線、および、バス路線等のリンクのリンクデータとの組み合わせによって表現されるネットワークデータを当該種別に対応付けて含んでいてもよい。また、路線網ネットワークデータは、交通機関の乗降場所（例えば、駅のプラットホーム等）の位置情報（例えば、緯度経度高度等）、形状情報、配置情報（例えば、島式ホームおよび相対式ホーム等）、および、属性情報（例えば、プラットホーム番号などの乗降場所の名称および識別番号等）などを含む乗降場所情報を含んでいてもよい。また、路線網ネットワークデータは、時刻表データや、乗車位置データを含んでいてもよい。ここで、乗車位置データは、例えば、電車、路面電車、モノレール、ケーブルカー、および、リニアモーターカー等の複数の車両が連結した交通機関の乗車位置（一例として、改札口に近い車両、乗換に便利な位置の車両、混雑率の低い車両、および、女性専用車両等）を表す情報等であってもよい。また、ネットワークデータに含まれる時刻表データは、交通機関単位の時刻表の情報（例えば、各交通機関が経由する停留地点の経由時刻を定めた時刻表データ等）であってもよく、停留所単位の時刻表データ（例えば、各停留地点を経由する交通機関の到着時刻を定めた時刻表データ等）であってもよい。なお、時刻表データは、路線または運行便毎の、経由する停留所およびその経由予定時刻に関する情報を含んでいてもよい。ここで、時刻表データは、鉄道、飛行機、バス、および、船等の各交通機関の時刻表を表す情報であってもよい。また、時刻表データは、更に、交通機関の行先情報（例えば、最終行先情報など）、および、交通機関の種別（例えば、特急、急行、準急、快速、快速急行、通勤特急、通勤快速、通勤急行、区間急行、区間準急、区間快速、各駅停車、および、普通など）を含む情報であってもよい。また、時刻表データは、更に、路線上のノード（すなわち、交通機関の停留地点）における交通機関の発着時刻（例えば、出発、経由、および到着の予定時刻など）、交通機関の路線の名称、および、交通機関の路線上のノード（すなわち、交通機関の停留地点）の名称等の属性情報を含む情報であってもよい。また、時刻表データは、交通機関の路線上のノードを結ぶ区間（例えば、一つまたは複数のリンク等）毎に対応付けられた交通機関の属性情報（例えば、種別および行先情報等）を含んでいてもよい。また、時刻表データは、各交通機関の乗降に用いられる乗降場所の名称および識別番号（例えば、プラットホーム番号など）等の乗降場所の属性情報を含んでいてもよい。
【００５８】
また、ネットワークデータベース２０６ａに記憶される施設内ネットワークデータは、施設内の経路網を規定するネットワークデータである。ここで、施設内ネットワークデータは、例えば、建造物内の店舗、会社、事務所、およびトイレ等の出入口、エレベータおよびエスカレータの乗降口、階段等の施設の出入口、飛行機等の搭乗口、駅のプラットホーム上の電車等の乗車位置、ならびに、駅の改札口等の、ビル間の通路等を接続する結節点であるノードのノードデータと、ノード間を接続する通路（ビル間連絡通路など）、階段、動く歩道、エスカレータ、および、エレベータ等であるリンクのリンクデータとの組み合わせによって表現されるネットワークデータである。ここで、ノードデータには、ノード番号（例えば、ノードＩＤ等）、ノードの名称（出入口名および乗降口名等）、緯度経度高度等の位置座標、フロアＩＤ、ノード種別（例えば、出入口、乗降口、通路の曲がり角、および通路の分岐点等）、接続するリンク本数、および、接続ノード番号等の情報を含んでいてもよい。また、リンクデータには、リンク番号（例えば、リンクＩＤ等）、開始ノードＩＤ、終了ノードＩＤ、リンク長、幅員、リンク種別（例えば、ノード間を接続する通路、階段、スロープ、エスカレータ、エレベータ、および動く歩道など）、および、バリアフリー化の情報を含んでいてもよい。ここで、施設とは、駅、オフィスビル、ホテル、デパート、スーパーマーケット、博物館、美術館、学校、水族館、地下通路、立体駐車場、地下駐車場、および、地下街等の屋内建造物であってもよい。また、施設とは、バスターミナル、公園、遊園地、キャンプ場、連絡通路、屋外駐車場、および、動物園等の屋外建造物であってもよい。
【００５９】
また、地図データベース２０６ｂは、地図の地図情報を記憶する地図情報記憶手段である。ここで、地図情報は、複数の縮尺のラスタ形式の地図描画用の画像、または、ベクタ形式の地図描画用の画像等であってもよい。また、地図情報は、例えば、縮尺に従ってメッシュ化された地図情報（例えば、ＪＩＳ規格の第１〜３次地域区画メッシュデータ、および、１００ｍメッシュデータ等）等の屋外地図情報であってもよい。また、地図情報は、全国および各地方の道路地図や路線図等の屋外地図情報を含んでいてもよい。また、地図情報は、例えば、高さ情報を持つ建築物（例えば、立体駐車場、駅、デパート、および、学校等）に関するフロア案内地図等の屋内地図情報を更に含んでいてもよい。なお、地図データベース２０６ｂは、地図情報記憶手段として機能するとともに、イベント地点として後述する地図オブジェクトに関する情報を記憶するイベント記憶手段として機能してもよい。
【００６０】
また、地図データベース２０６ｂは、更に、地図上に表示される地図オブジェクトに関する地図オブジェクト情報を記憶していてもよい。ここで、地図オブジェクト情報は、地図上に表示される地物（例えば、ビル、住宅、および、駅等の建造物、道路、線路、橋、トンネル、等高線、海岸線、および、湖岸線等の水涯線、海、河川、湖、池、沼、公園、および、屋外施設等の場地、行政界、行政区域、ならびに、街区等）の形状についての形状情報（ポリゴン、または、ポリライン等）、地図上に表示される注記（例えば、地名、住所、電話番号、店舗、公園、ビル、および、駅等の施設名称、名所、旧跡、河川、湖、湾、山、および、森林等の俗称を含む名称、道路、橋、および、トンネル等の名称、路線名称、地点情報、ならびに、口コミ情報、施設の営業時間、店舗の取扱商品、ＵＲＬ、写真データ、ならびに、クーポン情報等）の注記情報、ならびに、地図上に表示される記号（例えば、山、史跡、寺社、官庁、警察署、交番、消防署、駅、医療機関、美術館、博物館、学校、工場、および、墓地等の地図記号、飲食店、食料品店、酒店、タバコ店、百貨店、ショッピングセンター、スーパーマーケット、コンビニエンスストア、ガソリンスタンド、金融機関、および、郵便局等の店舗記号、道路上の信号、有料道路の出入口、料金所、サービスエリア、パーキングエリア、および、インターチェンジ等の記号、駐車場、駅、ホテル、美術館、および、博物館等の施設記号、ならびに、口コミ地点記号等）の記号情報等のデータを含んでいてもよい。ここで、形状情報は、地図オブジェクト描画用の画像（例えば、ポリゴン、および、ポリライン等）を含んでいてもよい。これら地図情報等は、地図データベース２０６ｂに予め記憶されており、サーバ装置２００の制御部２０２は、定期的に、および／または、制御部２０２による処理に応じて（例えば、制御部２０２においてデータが必要となる契機等）、ネットワーク３００を介して最新のデータを外部機器６００（例えば、地図情報を提供する地図提供サーバなど）等からダウンロードして地図データベース２０６ｂに記憶された地図情報等をアップデートしてもよい。
【００６１】
また、イベントデータベース２０６ｃは、地図情報に対応付けて、イベント地点に関する情報を記憶するイベント記憶手段である。ここで、イベント地点は、緯度経度や地図座標等の地図と対応付けが可能な地点である。一例として、イベント地点は、渋滞箇所、規制箇所、行き止まり、Ｔ字路、ガイドポイント、目的地、交差点、および、行政界のうちの少なくとも一つであってもよい。ここで、イベントデータベース２０６ｃは、交差点やＴ字路等の詳細情報（案内看板等の画像データ等のサムネイル等）を記憶してもよい。なお、上述のように、イベント地点に関する情報は、イベントデータベース２０６ｃに記憶されることに限られず、ネットワークデータベース２０６ａが、交差点やＴ字路や行き止まりや目的地等に関する情報をノードデータ等として記憶してもよく、地図データベース２０６ｂが、行政界等に関する情報を記憶してもよく、案内データベース２０６ｄが、ガイドポイントに関する情報を記憶してもよい。一例として、イベントデータベース２０６ｃに記憶されるイベント地点に関する情報は、ＰＯＩの情報であってもよい。ここで、本実施形態において、ＰＯＩ（ｐｏｉｎｔ  ｏｆ  ｉｎｔｅｒｅｓｔ）は、便利な場所や興味のある場所などとして人が知覚する特定の地点や施設や領域等であって、建造物や、設備、店舗、会社、事務所、公共施設、娯楽施設、および、屋外施設、観光スポットや景勝地などの地点や地物や領域等であってもよい。すなわち、本実施形態において、イベントデータベース２０６ｃは、ＰＯＩに関する情報を含むＰＯＩ情報を記憶する。ＰＯＩ情報は、地図情報と対応付けるために少なくともＰＯＩの地点情報（緯度経度や住所等）を含むほか、ＰＯＩの名称（地点名称）、カテゴリ（種別）等の属性、住所、電話番号、ＵＲＬ、営業時間情報、取扱商品情報、写真データ、クーポン情報、口コミ情報、使用条件、使用可能性、施設規模情報、ＰＯＩの緯度経度高度、ＰＯＩ  ＩＤ、および、当該ＰＯＩ情報の更新日時等の情報を含んでいてもよい。ここで、店舗は、例えば、飲食店、食料品店、酒店、タバコ店、百貨店、ショッピングセンター、スーパーマーケット、コンビニエンスストア、ガソリンスタンド、金融機関、郵便局、立体駐車場、および、ホテルや旅館等の宿泊施設等であってもよい。また、公共施設は、例えば、官庁、警察署、交番、消防署、駅、医療機関、美術館、博物館、および、学校等であってもよい。また、娯楽施設は、例えば、映画館、劇場、遊園地、パチンコ店、カジノ、競馬場等であってもよい。また、屋外施設は、バスターミナル、公園、遊園地、キャンプ場、連絡通路、屋外駐車場、および、動物園等であってもよい。これらＰＯＩ情報は、イベントデータベース２０６ｃに予め記憶されており、サーバ装置２００の制御部２０２は、定期的に、および／または、制御部２０２による処理に応じて（例えば、制御部２０２においてデータが必要となる契機等）、ネットワーク３００を介して最新のデータを外部機器６００（例えば、ＰＯＩ情報を提供するＰＯＩ情報提供サーバなど）等からダウンロードしてイベントデータベース２０６ｃに記憶されたＰＯＩ情報をアップデートしてもよい。
【００６２】
また、イベントデータベース２０６ｃに記憶されるイベント地点に関する情報は、交通情報であってもよい。ここで、交通情報は、交通機関の運行情報（例えば、渋滞情報や遅延情報等）を含んでいてもよく、例えば、運行情報は、鉄道運行情報、航空運行情報、船舶運行情報、および、バス運行情報等を含んでいてもよい。また、運行情報は、交通機関の時刻表データ（運行時刻情報）を含んでいてもよい。また、交通情報は、バスや電車等の交通機関の混雑度データであってもよい。例えば、混雑度データは、Ｆｅｌｉｃａ（登録商標）等の技術を用いた乗車ＩＣカード等によって収集されるデータであってもよい。また、交通情報は、道路交通情報を含んでいてもよい。ここで、道路交通情報は、渋滞発生地点や渋滞距離（渋滞の起点と終点など）や道路上の二地点間の通過時間（すなわち、旅行時間など）等の渋滞情報を含んでいてもよい。また、道路交通情報は、交通障害情報や交通規制情報等を含んでいてもよい。ここで、交通規制情報は、各種の交通規制を定義するデータであり、例えば、降水量規制、積雪・凍結規制、超波規制、風速規制、および視程規制等の異常気象時通行規制、高さ規制および重量規制等の車両通行規制、道路工事や作業、道路周辺の工事に伴う工事時規制、時間帯や車種により通行できる通行帯を規制している通行帯規制および道路の損壊等による車両通行止、交通の安全を確保するために設置されるコミュニティ・ゾーン等による一般車の進入禁止、ならびに、私有地への接続路であることによる一般車の進入禁止等の情報などを含んでもよい。また、交通規制情報は、工事、事故、または、車両故障等により車両通行帯等が走行不能または走行困難となる通行規制情報であってもよい。また、これら交通情報は、イベントデータベース２０６ｃに予め記憶されており、サーバ装置２００の制御部２０２は、定期的（例えば、５分毎等）に、および／または、制御部２０２による処理に応じて（例えば、制御部２０２においてデータが必要となる契機等）、ネットワーク３００を介して最新のデータを外部機器６００（例えば、警察庁、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）（登録商標）、および、ＡＴｉＳ（Ａｄｖａｎｃｅｄ  Ｔｒａｆｆｉｃ  Ｉｎｆｏｒｍａｔｉｏｎ  Ｓｅｒｖｉｃｅ）（登録商標）、日本道路交通情報センター（ＪＡＲＴＩＣ）（登録商標）、鉄道会社、および、交通情報配信サーバ（サービス）など）等からダウンロードしてイベントデータベース２０６ｃに記憶された交通情報をアップデートしてもよい。あるいは、サーバ装置２００は、当該外部機器６００等が能動的に送信した交通情報を受信して、イベントデータベース２０６ｃに格納してもよい。
【００６３】
また、案内データベース２０６ｄは、案内情報（音声案内情報および表示案内情報等）を記憶する案内情報記憶手段である。ここで、案内データベース２０６ｄは、イベント地点としてガイドポイントに関する案内情報を記憶するイベント記憶手段として機能してもよい。一例として、案内情報に含まれる表示案内情報は、進行方向毎の分岐点等のガイドポイントに対応付けられた、右左折等の誘導を画面に表示する矢印ナビゲーションであるターンバイターン（ＴＢＴ）、および、現在位置がガイドポイントにて目標物に近づいた旨を知らせる文字データ等であってもよく、例えば、端末装置１００が表示案内を実行する際に用いられてもよい。また、表示案内情報は、交差点周辺の低縮尺の地図の地図情報（例えば、交差点拡大図等）、道路標識の道路標識画像、および、道路標示の道路表示画像等の詳細情報を含んでいてもよい。また、案内情報に含まれる音声案内情報は、交通状況が変更されたことを示す「周囲の道路状況が変わりました」や、現在位置周辺に渋滞している領域があることを知らせる「この先渋滞しています」、分岐点等のガイドポイントに対応付けられた「次の交差点を左に曲がります」、新たな経路が探索されたことを示す「新しいルートが見つかりました。１００ｍ先を左折してください。」、現在位置がガイドポイントにて目的地に近づいた場合に対応付けられた「まもなく目的地周辺です」等の音声情報であってもよく、例えば、端末装置１００がガイドポイントにて音声案内を実行する際に用いられてもよい。なお、サーバ装置２００の制御部２０２は、定期的に、および／または、制御部２０２による処理に応じて（例えば、制御部２０２においてデータが必要となる契機等）、最新の案内情報を外部機器６００（案内情報を提供する案内情報提供サーバなど）等からダウンロードしてもよい。
【００６４】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、移動要求受信部２０２ａ、移動方向決定部２０２ｂ、イベント地点検索部２０２ｃ、移動結果情報生成部２０２ｄ、および、移動結果情報送信部２０２ｆを備える。
【００６５】
このうち、移動要求受信部２０２ａは、端末装置１００から送信される、移動要求を受信する移動要求受信手段である。一例として、移動要求は、入力部１１６を介して入力された入力データであってもよい。例えば、入力部１１６と出力部１１４がタッチパネルとして構成されている場合に、入力部１１６を介して入力された地図表示画面上の接触点座標の履歴等に関する情報であってもよい。このほか、移動要求は、所望のイベント地点を検索するための検索入力情報（キーワード、イベントのカテゴリ等）等のイベント検索条件、および／または、基準点が移動する線（以下、「移動線」と呼ぶ場合がある）から検索される所定範囲（基準点からの半径や移動線からの距離や時間等）等の検索範囲決定条件であってもよい。
【００６６】
また、移動方向決定部２０２ｂは、移動要求受信部２０２ａにより受信された移動要求に基づいて、移動方向を決定する移動方向決定手段である。例えば、移動方向決定部２０２ｂは、移動要求として受信された地図表示画面上の接触点座標の履歴等に基づいて、移動方向を決定してもよい。一例として、移動方向決定部２０２ｂは、最初の接触点から最後の接触点までの方向を、移動方向として決定してもよい。なお、移動方向決定部２０２ｂは、移動要求に基づいて、移動方向のみならず、移動速度や移動量（移動距離）等を決定してもよい。例えば、移動方向決定部２０２ｂは、接触点座標の履歴等に基づいて、地図表示画面上を接触点が移動した速度を、移動速度としてもよい。
【００６７】
ここで、誘導経路等の経路がある場合に、移動方向決定部２０２ｂは、当該経路に沿って移動方向を決定してもよい。例えば、サーバ装置２００の制御部２０２が、端末装置１００から送信される、ネットワークデータベース２０６ａに記憶されたネットワークデータに基づいて、出発地と目的地を含む経路探索条件を満たす経路を探索してもよい。そのような場合に、移動方向決定部２０２ｂは、予め探索された経路に沿うように移動方向を決定してもよい。一方、経路がない場合、移動方向決定部２０２ｂは、ネットワークデータベース２０６ａに記憶されたネットワークデータに基づいて、元の基準点から交通網に沿って移動方向を決定してもよい。例えば、移動方向決定部２０２ｂは、ネットワークデータが規定する道路や路線や施設内経路等に沿うように移動方向を決定してもよい。なお、移動方向決定部２０２ｂは、接触点座標の履歴によって求められる方向に最も近い道路や経路等の方向を移動方向としてもよい。
【００６８】
ここで、イベント地点検索部２０２ｃは、移動方向決定部２０２ｂにより決定された移動方向に従って地図上を基準点が移動した場合の、当該地図の移動線上または当該移動線から所定範囲内の、所定の条件を満たすイベント地点を記憶部２０６から検索するイベント地点検索手段である。例えば、イベント地点検索部２０２ｃは、基準点が経路や交通網に沿って移動方向に移動する場合に、ネットワークデータベース２０６ａに記憶されたネットワークデータの交通網の移動線（経路や道路等）上または当該移動線から所定範囲内の、所定の条件を満たすイベント地点を検索してもよい。イベント地点検索部２０２ｃは、イベント地点の検索先として、ネットワークデータベース２０６ａから検索してもよく、地図データベース２０６ｂから検索してもよく、イベントデータベース２０６ｃから検索してもよい。例えば、イベント地点検索部２０２ｃは、ネットワークデータベース２０６ａから、イベント地点として、交差点やＴ字路や行き止まりや目的地等に関するノード等を検索してもよい。また、イベント地点検索部２０２ｃは、地図データベース２０６ｂから、イベント地点として、行政界等を検索してもよい。また、イベント地点検索部２０２ｃは、ＰＯＩ情報や交通情報を記憶するイベントデータベース２０６ｃから、イベント地点として、渋滞箇所や、規制箇所等を検索してもよい。また、イベント地点検索部２０２ｃは、案内データベース２０６ｄから、イベント地点として、ガイドポイントを検索してもよい。また、サーバ装置２００は、複数の端末装置１００の現在位置情報を受信し、イベント地点検索部２０２ｃは、他の端末装置１００の現在位置情報が示す現在位置をイベント地点として検索してもよい。これにより、例えば、他の端末装置１００の利用者が車両に乗っていれば、先行車両の位置や後続車両の位置を検索することができる。
【００６９】
所定の条件としては、移動要求受信部２０２ａにより移動要求に含まれる、あるいは、予め記憶部２０６に記憶された、検索入力情報（キーワード、イベントのカテゴリ等）等のイベント検索条件であってもよい。また、所定の条件は、時間条件や距離条件であってもよい。例えば、イベント地点検索部２０２ｃは、移動方向決定部２０２ｂにより決定された移動方向や移動距離や移動量等に従って、地図上を基準点が、所定時間あるいは所定距離、移動する毎にイベント地点を取得してもよい。また、移動線から検索される所定範囲としては、移動要求受信部２０２ａにより移動要求に含まれる、あるいは、予め記憶部２０６に記憶された、基準点からの半径や、移動線からの距離や時間等を規定した検索範囲決定条件であってもよい。
【００７０】
また、移動結果情報生成部２０２ｄは、イベント地点検索部２０２ｃにより検索されたイベント地点に関する情報を含む移動結果情報を生成する移動結果情報生成手段である。例えば、移動結果情報生成部２０２ｄは、イベント地点検索部２０２ｃによりネットワークデータベース２０６ａから交差点やＴ字路や行き止まりや目的地等のイベント地点が検索された場合に、当該イベント地点にかかる情報（交差点名や、交差点の詳細情報等）を含む移動結果情報を生成してもよい。また、移動結果情報生成部２０２ｄは、イベント地点検索部２０２ｃにより地図データベース２０６ｂから行政界等のイベント地点が検索された場合に、当該イベント地点にかかる情報（移動先の行政区画の名称（市町村名など）等）を含む移動結果情報生成手段を生成してもよい。また、移動結果情報生成部２０２ｄは、イベント地点検索部２０２ｃによりイベントデータベース２０６ｃから渋滞箇所や規制箇所やＰＯＩ等のイベント地点が検索された場合に、当該イベント地点に関する情報（渋滞の距離や、交通規制の時間帯、ＰＯＩ情報など）を含む移動結果情報を生成してもよい。また、移動結果情報生成部２０２ｄは、イベント地点検索部２０２ｃにより案内データベース２０６ｄからガイドポイント等のイベント情報が検索された場合に、ガイドポイントに対する案内情報（詳細情報等）を含む移動結果情報を生成してもよい。
【００７１】
ここで、移動結果情報生成部２０２ｄは、更に地図情報を含む移動結果情報を生成してもよい。例えば、移動結果情報生成部２０２ｄは、基準点にかかる地図情報、または、イベント地点検索部２０２ｃにより検索されたイベント地点にかかる地図情報を、地図データベース２０６ｂから取得して移動結果情報に追加してもよい。また、移動結果情報生成部２０２ｄは、元の基準点からイベント地点までのスクロール制御時、または、元の基準点からイベント地点を経由して当該元の基準点の方向へ戻るスクロール制御時に表示される地図情報を、地図データベース２０６ｂから取得して移動結果情報に追加してもよい。また、移動結果情報生成部２０２ｄは、元の基準点およびスクロール制御中の基準点に基づく縮尺の地図情報を取得して移動結果情報に追加してもよい。例えば、移動結果情報生成部２０２ｄは、元の基準点およびスクロール制御中の最も遠い基準点が両者とも含まれる地図情報を取得してもよい。なお、移動結果情報生成部２０２ｄは、地図上の基準点にマークが重畳表示させる移動結果情報を生成してもよい。例えば、移動結果情報生成部２０２ｄは、元の基準点から移動先の基準点までマークが地図上で動かせる移動結果情報を生成してもよい。また、移動結果情報生成部２０２ｄは、移動量の目安となるスケール（縮尺スケールなど）等を地図情報に格納してもよい。なお、移動結果情報生成部２０２ｄは、イベント地点までの距離や移動時間を含む移動結果情報を生成してもよい。
【００７２】
また、移動結果情報送信部２０２ｆは、移動結果情報生成部２０２ｄにより生成された移動結果情報を、端末装置１００に送信する表示情報送信手段である。
【００７３】
［端末装置１００の構成］
また、図１において、端末装置１００は、地図情報に基づく地図が表示されるように出力部１１４を制御し、入力部１１６を介して、出力部１１４に表示された地図上の基準点に対する移動要求を利用者に入力させ、入力された移動要求をサーバ装置２００に送信し、サーバ装置２００から送信される、移動結果情報を受信し、受信した移動結果情報を出力部１１４に出力する等の機能を有する。端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置、および、走行経路案内等を行うナビゲーション端末（例えば、カーナビゲーション装置など）等である。ここで、端末装置１００は、インターネットブラウザ等を搭載していてもよく、経路案内アプリケーション、乗換案内アプリケーション、および情報検索アプリケーション等を搭載していてもよい。また、端末装置１００は、リアルタイムに現在位置測位が行えるよう、ＧＰＳ機能やＩＭＥＳ機能等を有する位置取得部１１２を備えていてもよい。また、端末装置１００は、出力部１１４と入力部１１６を備える。
【００７４】
ここで、出力部１１４は、アプリケーション等の表示画面を表示する表示手段（例えば、液晶または有機ＥＬ等から構成されるディスプレイおよびモニタ等）であってもよい。また、出力部１１４は、更に、音声情報を音声として出力する音声出力手段（例えば、スピーカ等）や振動出力手段を備えてもよい。また、入力部１１６は、例えば、キー入力部、タッチパネル、キーボード、および、音声入力を行うマイク等であってもよい。なお、入力部１１６は、出力部１１４に表示された地図上の基準点に対する移動要求を入力可能に構成される。一例として、出力部１１４および入力部１１６は、表示手段と位置入力手段が一体的に構成されたタッチパネル等であってもよい。すなわち、入力部１１６は、表示画面に対する接触点を検出する位置入力手段である。ここで、入力部１１６は、接触点の履歴から接触動作（スライド操作、フリック操作等）を検出するように構成してもよい。なお、タッチパネル上で接触点または接触動作を検出する方法は、圧力の変化を感知する感圧式、静電気による電気信号を感知する静電式、その他の方法を適用することができる。また、入出力制御インターフェース部１０８は、位置取得部１１２、出力部１１４、および、入力部１１６等の制御を行う。
【００７５】
ここで、位置取得部１１２は、例えば、位置発信装置５００から発信される位置情報信号を受信する信号受信手段であってもよい。ここで、位置発信装置５００は、位置情報信号（ＧＰＳ信号）を発信するＧＰＳ装置であってもよい。また、位置発信装置５００は、端末装置１００との間で無線通信を行うための装置等である基地局（例えば、携帯電話、自動車電話、および、ＰＨＳの基地局等）であってもよい。また、位置発信装置５００は、ＧＰＳ信号と類似した特徴を持つ位置情報信号を用いて屋内測位を可能とするＩＭＥＳ（Ｉｎｄｏｏｒ  Ｍｅｓｓａｇｅ  Ｓｙｓｔｅｍ）技術を実現するＩＭＥＳ装置であってもよい。なお、ＩＭＥＳ技術は測位衛星システムである準天頂衛星の枠組みから発案されたシステムである。
【００７６】
また、位置発信装置５００は、屋外で受信したＧＰＳ信号を屋内で発信するＧＰＳリピータであってもよい。また、位置発信装置５００は、建物（例えば、立体駐車場等）内の各フロアや地下構造物（例えば、地下鉄駅、地下街、地下連絡通路、および地下駐車場等）の各所に任意に設置される小型発信装置であってもよい。なお、この小型発信装置には、設置場所に応じた自己位置情報（位置ＩＤ等）が割り振られている。そして、端末装置１００が通信可能範囲に入ると、端末装置１００は、小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等であってもよい。また、位置発信装置５００は、無線ＬＡＮのアクセスポイントであってもよい。本実施形態において、位置取得部１１２は、無線ＬＡＮ信号等を受信して、アクセスポイントの識別情報を取得してもよい。そして、制御部１０２は、位置取得部１１２にて取得したアクセスポイント固有の識別情報からアクセスポイントの位置を特定して位置情報を取得してもよい。また、本実施形態において、制御部１０２は、位置取得部１１２にて取得された位置情報信号から、緯度、経度、および、高さ情報を含む位置情報を算出してもよい。ここで、位置情報は、緯度および経度により特定される絶対位置の他、基準となる位置からの相対位置を示すものであってもよい。
【００７７】
ここで、位置取得部１１２は、端末装置１００の変化量（例えば、ベクトル量等）を検出する速度センサ、加速度センサ、方位センサ、および、距離センサ等を備えていてもよい。ここで、位置取得部１１２は、速度センサにて速度を検出してもよい。また、位置取得部１１２は、加速度センサにて加速度を検出してもよい。また、位置取得部１１２は、方位センサにて方位（例えば、東・西・南・北・天・地等）および傾きを検出してもよい。また、位置取得部１１２は、距離センサにて移動距離（変位）を検出してもよい。ここで、速度センサは、レーザドップラ振動計等であってもよく、検出したドップラー効果によって生じた周波数の差等から端末装置１００の速度を検出してもよい。また、加速度センサは、機械式加速度センサ、ＦＢＧ光ファイバ式等の光学式加速度センサ、および、ＭＥＭＳ（Ｍｉｃｒｏ  Ｅｌｅｃｔｒｏ  Ｍｅｃｈａｎｉｃａｌ  Ｓｙｓｔｅｍｓ）加速度センサ等の半導体式加速度センサなどであってもよい。また、方位センサには、絶対走行方位を検出する地磁気センサ、および、相対走行方位を検出する光ジャイロ等が使用されてもよい。また、方位センサは、地磁気センサと加速度センサを組み合わせることで方位および傾きに関する情報を取得できる電子コンパス等であってもよい。また、距離センサは、端末装置１００が車両用の情報処理端末である場合、車軸の回転数に比例してパルス信号を発生させ、パルス信号の数量に比例した移動距離を検出してもよい。
【００７８】
また、位置取得部１１２は、更に、通信装置を備えていてもよく、端末装置１００が車両用の情報処理端末である場合、各車両に搭載された当該通信装置の車車間通信から自車位置を示す位置情報を取得してもよい。また、位置取得部１１２は、地図情報に基づいて端末装置１００の利用者の現在位置を示す位置情報を取得してもよい。
【００７９】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００およびサーバ装置２００と、外部の地図提供サーバ等の外部機器６００または外部システムとを相互に接続する機能を有し、例えば、インターネット、電話回線網（携帯端末回線網および一般電話回線網等）、イントラネット、または、電力線通信（ＰＬＣ）等であってもよい。
【００８０】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブルを格納してもよい。ここで、記憶部１０６は各種のファイル等を一時的に記憶するものであってもよい。
【００８１】
ここで、記憶部１０６は、上述した地図データベース２０６ｂと同様に、地図情報を予め記憶してもよく、上述したイベントデータベース２０６ｃと同様に、ＰＯＩ情報を予め記憶してもよく、上述した案内データベースと同様に案内情報を予め記憶してもよい。端末装置１００の制御部１０２は、定期的に、および／または、制御部１０２による処理に応じて（例えば、制御部１０２においてデータが必要となる契機等）、ネットワーク３００を介して最新のデータを外部機器６００（例えば、ＰＯＩ情報等を提供する地図提供サーバなど）等からダウンロードして記憶部１０６に記憶された地図情報やＰＯＩ情報や案内情報等をアップデートしてもよい。なお、記憶部１０６は、サーバ装置２００から受信した移動結果情報（地図情報やＰＯＩ情報や案内情報等）を記憶してもよい。
【００８２】
また、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、現在位置情報取得部１０２ａ、地図表示制御部１０２ｂ、入力制御部１０２ｃ、移動要求送信部１０２ｄ、移動結果情報受信部１０２ｆ、および、イベント出力制御部１０２ｇを備える。
【００８３】
このうち、現在位置情報取得部１０２ａは、端末装置１００の利用者の現在位置情報を取得する現在位置情報取得手段である。ここで、現在位置情報取得部１０２ａは、端末装置１００の利用者の現在位置情報を所定時間（所定周期）ごと（例えば、１秒ごと、または、３分ごと等）に取得してもよい。また、現在位置情報取得部１０２ａは、位置取得部１１２にて位置発信装置５００から受信した位置情報信号から算出した位置情報を端末装置１００の利用者の現在位置情報として取得してもよい。また、現在位置情報取得部１０２ａは、利用者により入力部１１６を介して入力された現在位置についての位置座標等の位置情報を端末装置１００の利用者の現在位置情報として取得してもよい。ここで、利用者により入力部１１６を介して入力された現在位置情報に基づく現在位置は、利用者が現実に存在する位置であってもよく、利用者により任意に選択された仮想の現在位置（一例として、東京にいる利用者により選択された大阪の駅や空港等の任意の地点）であってもよい。例えば、現在位置情報取得部１０２ａは、入力部１１６を介して利用者に出力部１１４に表示された地図情報に基づく表示画面上で指定（例えば、タッチパネル式の出力部１１４での指定操作等）させた座標を端末装置１００の利用者の現在位置情報として取得してもよい。一例として、現在位置情報取得部１０２ａは、出力部１１４に表示された地図の表示画面の中心座標や縮尺など、表示中の地図の表示領域や範囲を規定する情報を、現在位置情報として取得してもよい。
【００８４】
また、地図表示制御部１０２ｂは、地図情報を出力部１１４に出力する地図表示制御手段である。例えば、地図表示制御部１０２ｂは、記憶部１０６に記憶された地図情報に基づく地図が表示されるように出力部１１４を制御する。ここで、地図表示制御部１０２ｂにより表示される地図は、少なくとも基準点を含む。基準点は、地図上を移動し得る仮想的な移動体であり、移動方向や移動量や移動速度等は、後述する利用者の移動要求に従う。なお、基準点は、慣性運動を行ってもよく、例えば、移動要求に基づいて決定された移動速度を初速度として、距離に比例して一定の減速度で速度０になった点で停止するようにしてもよい。なお、基準点マークが目的地等のイベント地点に到達した場合に、地図表示制御部１０２ｂは、振動出力手段や音声出力手段としての出力部１１４から振動出力や音声出力を行ってもよい。
【００８５】
ここで、移動要求を入力する前の元の基準点としては、現在位置情報取得部１０２ａにより取得される現在位置情報に基づく現在位置であってもよく、経路探索条件の出発地や経路の起点等であってもよく、表示された地図上の任意の点（例えば地図表示画面の中心座標）であってもよい。また、地図表示制御部１０２ｂは、基準点を地図上に表示させてもよく、または、表示させなくともよい。基準点を表示させない場合であっても、制御部１０２は、基準点の位置等を演算する。なお、基準点を表示させない場合、地図表示制御部１０２ｂは、表示画面上の操作前の元の基準点の座標に保持されるように制御してもよい。さらにこの場合、地図表示制御部１０２ｂは、基準点としてのおはじきが画面外で地図上を移動してイベント地点にぶつかるまでの間、情報を出力しないようにしてもよい。このとき、元の基準点から近い距離にあるイベント情報が表示されるまでの時間は、基準点から遠い距離にあるイベント情報が表示されるまでの時間に比べて短くなる。ユーザは、おはじきが動き出してからイベントが表示されるまでの時間によって、元の基準点からイベントまでの距離を把握することができる。
【００８６】
なお、基準点は、一つに限られず、複数であってもよい。なお、基準点は、初めは一つであるが、分岐点やイベント地点に到達すると分裂して２つ以上となってもよい。ここで、地図表示制御部１０２ｂは、基準点の位置によって出力する地図情報を変更してもよい。基準点が複数の場合は、同時に移動要求によって操作可能であってもよく、各基準点がそれぞれ独立して操作可能であってもよい。なお、地図表示制御部１０２ｂは、複数の基準点が含まれるように地図を表示してもよく、基準点毎に別の地図表示領域を割り当ててもよい。また、地図表示制御部１０２ｂは、基準点が一つの場合であっても、移動前の元の基準点を含む地図表示画面と、移動中の基準点を含む地図表示画面の２画面に表示してもよい。また、地図表示制御部１０２ｂは、地図情報を記憶する記憶部１０６を参照して、基準点にかかる地図情報を出力部１１４に出力してもよく、移動結果情報を記憶する記憶部１０６を参照して、イベント地点にかかる地図情報を出力部１１４に出力してもよい。また、地図表示制御部１０２ｂは、基準点の移動に伴って滑らかに表示中の地図が遷移するようにスクロール制御等を行ってもよい。例えば、地図表示制御部１０２ｂは、記憶部１０６を参照して、元の基準点からイベント地点までのスクロール制御時の地図情報を出力部１１４に出力してもよい。また、基準点がイベント地点で跳ね返るように見えるように、地図表示制御部１０２ｂは、元の基準点からイベント地点を経由して当該元の基準点の方向へ戻るスクロール制御時の地図情報を、出力部１１６に出力してもよい。なお、地図表示制御部１０２ｂは、スクロール制御中、基準点が表示画面の所定座標（例えば、地図表示画面の中心座標）にあるように表示領域を制御してもよい。または、地図表示制御部１０２ｃは、元の基準点およびスクロール制御中の基準点が含まれるように出力部１１４に表示する地図の縮尺を変更してもよい。なお、地図表示制御部１０２ｃは、地図の縮尺スケールを表示してもよい。例えば、地図表示制御部１０２ｃは、基準点の移動量の目安として、スケール（縮尺スケールなど）等を地図上に重畳表示させてもよい。なお、地図表示制御部１０２ｃは、記憶部１０６に地図情報が格納されていない場合、外部機器６００（例えば、地図情報を提供する地図情報提供サーバなど）等からダウンロードしてもよい。
【００８７】
また、入力制御部１０２ｃは、入力部１１６を介して、出力部１１４に表示された地図上の基準点に対する移動要求を利用者に入力させる入力制御手段である。一例として、入力制御部１０２ｃは、位置入力手段等の入力部１１６を介して入力された、入力位置や動作等を移動要求として取得してもよい。例えば、入力部１１６および出力部１１４がタッチパネルとして構成されている場合、入力制御部１０２ｃは、入力部１１６を介して入力された地図表示画面上の接触点座標の履歴等に関する情報（スライド操作、フリック操作に関する情報等）を取得してもよい。入力制御部１０２ｃは、入力部１１６を介して、出力部１１４に表示された基準点を示すマークに対する位置入力（スライド操作やフリック操作等）によって、移動要求を利用者に入力させてもよい。これにより、サーバ装置２００の移動方向決定部２０２ｄは、入力部１１６を介して利用者に出力部１１４に表示された地図情報に基づく表示画面上で指定（例えば、タッチパネル式の出力部１１４での指定操作等）させた座標等の移動要求に基づいて、フリック操作方向等により移動方向を判定することや、スライド量等により移動量等を判定することができる。なお、基準点マークは、パチンコ操作等のように一度手前にドラッグしてリリースすると反対方向へ飛んでいくように、入力制御部１０２ｃは、ドラッグ移動量等を移動要求として取得してもよい。なお、地図表示制御部１０２ｃが基準点の移動量の目安としてスケール等を表示する場合、原則として基準点の前方（目的地方向等）に表示させてもよいが、パチンコ操作等のように後方へ引いて弾く場合は、後方にスケール等を表示させてもよい。
【００８８】
このほか、入力制御部１０２ｃは、利用者に入力部１１６を介して、所望のイベント地点を検索するための検索入力情報（キーワード、イベントのカテゴリ等）等のイベント検索条件、および／または、基準点が移動する線から検索される所定範囲（基準点からの半径や移動線からの距離や時間等）等の検索範囲決定条件を入力させて、移動要求に加えてもよい。また、入力制御部１０２ｂは、イベント検索条件および／または検索範囲決定条件として、利用者に入力部１１６を介して、フリーワード入力等により検索キーワードを入力させてもよい。また、入力制御部１０２ｂは、マイク等の入力部１１６を介して、利用者が音声入力を行うよう制御し、入力された音声データに基づいて音声認識処理等を行うことにより文字データの検索入力情報を取得してもよい。また、入力制御部１０２ｂは、ＰＯＩのカテゴリ等の一覧を出力部１１４にリスト表示させ、入力部１１６を介して利用者により選択されたカテゴリ等を検索入力情報として取得してもよい。なお、入力制御部１０２ｃは、上述した移動方向決定部２０２ｂと同様の機能を有していてもよく、入力部１１６を介して入力されたデータから決定した移動量や移動速度や移動方向等を移動要求として取得してもよい。また、入力制御部１０２ｃは、加速度センサや傾きセンサ等の位置取得部１１２を介して、利用者が端末装置１００を振る（スイングする）ことや傾けることによる加速度や傾き等を移動要求として取得してもよい。なお、入力制御部１０２ｃは、停止している基準点に対する移動要求に限られず、移動中の基準点に対して、更なるフリック操作によって加速操作ができるようにしてもよく、タッチ操作等によって減速操作や停止操作ができるように移動要求を受け付けてもよい。また、上記においては、タッチパネル式の出力部１１４に対して接触による指定操作等を行う例について主に説明したが、移動要求の入力はこれに限られず、マイク等の入力部１１６に対して音声入力を行うことによって、移動量や移動速度や移動方向等の移動要求を入力させてもよい。例えば、入力制御部１０２ｂは、利用者がマイク等の入力部１１６に対して息を吹きかけることによって入力された風切音を、移動量や加速度等の移動要求として取得してもよい。例えば、入力制御部１０２ｂは、風切音の音量に応じた加速度を移動要求として取得してもよく、ステレオマイクからの音声入力方向に応じた移動方向を移動要求として取得してもよい。
【００８９】
また、移動要求送信部１０２ｄは、入力制御部１０２ｃの制御により入力された移動要求をサーバ装置２００に送信する移動要求送信手段である。ここで、移動要求送信部１０２ｄは、入力制御部１０２ｃにより移動要求が入力される毎に、更新された移動要求を送信してもよい。
【００９０】
また、移動結果情報受信部１０２ｆは、サーバ装置２００から送信される、移動結果情報を受信する移動結果情報受信手段である。ここで、移動結果情報受信部１０２ｄは、受信した移動結果情報を記憶部１０６に格納してもよい。
【００９１】
また、イベント出力制御部１０２ｇは、移動結果情報受信部１０２ｄにより受信された移動結果情報を出力部１１４に出力するイベント出力制御手段である。例えば、イベント出力制御部１０２ｇは、移動結果情報受信部１０２ｄにより受信された移動結果情報に基づいて、移動要求に基づいて基準点の移動により検索されたイベント地点に関する情報を出力部１１４に出力してもよい。ここで、イベント出力制御部１０２ｇは、地図上において、イベント地点をマーク等で表示するとともに、イベント地点に関する情報（詳細情報等）を地図上に重畳表示（ポップアップ表示等）させてもよい。イベント出力制御部１０２ｇは、基準点が当該イベント地点に到達したタイミングで、イベント地点のマークや、イベント地点に関する情報（イベント地点までの距離や移動時間等）を表示させてもよい。ここで、イベント出力制御部１０２ｇは、イベント地点として交差点の詳細情報が出力部１１４に出力されている場合に、交差点の詳細情報に対して入力部１１６を介した入力（クリックやタップ等）があった場合、当該交差点に関する情報（詳細情報等）を出力部１１４に出力してもよい。
【００９２】
このほか、一例として移動結果情報にＰＯＩ情報が含まれる場合、イベント出力制御部１０２ｇは、ＰＯＩ情報の地点情報に基づく地点にＰＯＩを示すアイコン等を地図上に重畳表示させてもよい。なお、イベント出力制御部１０２ｇは、アイコン等により表示されたＰＯＩを、利用者が入力部１１６を介してクリックする等により選択した場合、選択されたＰＯＩの詳細な情報（名称、住所、電話番号、ＵＲＬ等）を、ＰＯＩ情報に基づいて表示させてもよい。なお、移動結果情報にＰＯＩ情報が含まれない場合、イベント出力制御部１０２ｇは、記憶部１０６に記憶されたＰＯＩ情報に基づいて、ＰＯＩを表示させてもよく、外部機器６００（ＰＯＩ情報を提供する地図情報提供サーバなど）等からＰＯＩ情報をダウンロードして表示させてもよい。
【００９３】
以上で、第１の実施形態における情報出力システムの構成の一例の説明を終える。
【００９４】
［情報出力システムの処理］
次に、このように構成された第１の実施形態における情報出力システムの処理の一例について、図２から図１４を参照して詳細に説明する。図２は、第１の実施形態における情報出力システムの処理の一例を示すフローチャートである。
【００９５】
図２に示すように、まず、端末装置１００の地図表示制御部１０２ｂは、記憶部１０６に記憶された地図情報に基づいて、基準点のマークを重畳表示させた地図を出力部１１４に表示させる（ステップＳＡ−１）。本実施の形態において、基準点のマークは、タッチパネル式の出力部１１４と入力部１１６において、「おはじき」のように操作可能であることから「おはじき」と呼ぶ場合がある。ここで、図３は、基準点マーク「おはじき」が重畳表示された地図表示画面の一例を示す図である。図３のように、基準点マーク「おはじき」は、地図上の一地点を表す仮想の移動体である。なお、図３の例では、「おはじき」は静止している。
【００９６】
再び図２に戻り、端末装置１００の入力制御部１０２ｃは、入力部１１６を介して、出力部１１４に表示された地図上の基準点に対する移動要求を利用者に入力させる（ステップＳＡ−２）。一例として、入力制御部１０２ｃは、入力部１１６を介して入力された地図表示画面上の接触点座標の履歴等に関する情報（スライド操作、フリック操作に関する情報等）を移動要求として取得してもよい。ここで、図４は、図３に示した地図上の基準点マーク「おはじき」の操作例と移動例を示す図である。
【００９７】
図４に示すように、利用者が時刻ｔ０において静止状態の基準点マーク「おはじき」に対して、時刻ｔ０〜ｔ２にかけて指を動かすフリック操作を行った場合、入力制御部１０２ｃは、入力部１１６を介して、出力部１１４に表示された基準点マーク「おはじき」に対するフリック操作による接触点座標の履歴を、移動要求として取得する。なお、後述する移動要求に対する移動結果情報に基づく制御が行われる前に、地図表示制御部１０２ｂは、図４の時刻ｔ３の基準点マークに示すように、移動要求に応じた移動方向や移動速度等にて、基準点マークが移動されるように表示制御を行ってもよい。ここで、図５は、時刻ｔ４において、基準点マーク「おはじき」が当初（時刻ｔ０）の地図表示領域外へ移動した場合に表示される表示画面の一例を示す図である。
【００９８】
図５に示すように、基準点マーク「おはじき」が当初の地図表示領域外へ移動した場合、地図表示制御部１０２ｂは、移動中の基準点が地図に含まれるように、縮尺を維持したまま、表示させる地図の領域を変更してもよい。ここで、図６および図７は、基準点マーク「おはじき」が地図表示領域外へ移動した場合に表示される表示画面の遷移例を示す図である。なお、図６は、時刻ｔ１の基準点マークを示し、図７は、時刻ｔ２の基準点マークを示す。また、時刻ｔ０の基準点マークは説明の便宜上表示しているが、必ずしも表示させる必要はない。
【００９９】
図６および図７に示すように、この例では、地図表示制御部１０２ｂは、当初の縮尺の地図表示領域内で、時刻ｔ０の基準点と時刻ｔ１の基準点が表示可能な場合は、両者が含まれるように同縮尺で表示しつづけるが、時刻ｔ２の基準点のように、両方の基準点が当初の縮尺で表示できなくなった場合に、両者が含まれるように地図の縮尺と表示領域を変更する。なお、距離・時間表示画面ＭＡ−１，２に示すように、地図表示制御部１０２ｂは、基準点の移動時間および／または移動距離を地図上に重畳表示してもよい。なお、地図表示制御部１０２ｂにより重畳表示される項目は、図示の例に限られず、例えば、平均速度や、移動費用等を出力してもよい。前者の例として、地図表示制御部１０２ｂは、移動中のマークが位置しているリンクの平均速度を、ネットワークデータベース２０６ａから取得してもよく、ＶＩＣＳ（登録商標）等の外部機器６００から受信された交通情報から取得してもよい。また、後者の例として、地図表示制御部１０２ｂは、元の基準点の位置から移動中の基準点の位置までの通過した経路にかかる移動費用を算出して表示させてもよい。例えば、移動体が自動車の場合、地図表示制御部１０２ｂは、ネットワークデータベース２０６ａに記憶されたネットワークデータに基づいて、移動した経路のリンクコスト（高速代金や、ガソリン料金等）を移動距離や車種や燃料種別等を加味して算出してもよい。
【０１００】
再び図２に戻り、端末装置１００の移動要求送信部１０２ｄは、入力制御部１０２ｃの制御により入力された移動要求をサーバ装置２００に送信する（ステップＳＡ−３）。
【０１０１】
そして、サーバ装置２００の移動要求受信部２０２ａは、端末装置１００から送信される、移動要求を受信する（ステップＳＡ−４）。
【０１０２】
そして、サーバ装置２００の移動方向決定部２０２ｂは、移動要求受信部２０２ａにより受信された移動要求に基づいて、移動方向等を決定する（ステップＳＡ−５）。例えば、移動方向決定部２０２ｂは、移動要求として受信された地図表示画面上の接触点座標の履歴等に基づいて、移動方向を決定してもよい。一例として、移動方向決定部２０２ｂは、最初の接触点から最後の接触点までの方向を、移動方向として決定してもよい。なお、移動方向決定部２０２ｂは、移動要求に基づいて、移動方向のみならず、移動速度や移動量（移動距離）等を決定してもよい。例えば、移動方向決定部２０２ｂは、接触点座標の履歴等に基づいて、地図表示画面上を接触点が移動した速度を、移動速度としてもよい。なお、誘導経路等の経路がある場合には、移動方向決定部２０２ｂは、当該経路に沿うように移動方向を決定してもよく、経路がない場合には、ネットワークデータベース２０６ａに記憶されたネットワークデータが規定する道路等に沿うように移動方向を決定してもよい。なお、移動方向決定部２０２ｂは、接触点座標の履歴によって求められる方向に最も近い道路や経路等の方向を移動方向としてもよい。ここで、移動方向決定部２０２ｂにより決定される移動方向は、出発地から目的地の方向に限られず、目的地から出発地の方向（逆方向）であってもよく、この場合、例えば、現在位置から出発地までの情報や、現在位置から後続車両までの情報等が逆方向に出力されることになる。
【０１０３】
そして、サーバ装置２００のイベント地点検索部２０２ｃは、移動方向決定部２０２ｂにより決定された移動方向に従って地図上を基準点が移動した場合の、当該地図の移動線上または当該移動線から所定範囲内の、所定の条件を満たすイベント地点を記憶部２０６から検索する（ステップＳＡ−６）。例えば、イベント地点検索部２０２ｃは、基準点が経路や交通網に沿って移動方向に移動する場合に、ネットワークデータベース２０６ａに記憶されたネットワークデータの交通網の道路上または当該道路から所定範囲内の、所定の条件を満たすイベント地点を検索してもよい。一例として、イベント地点検索部２０２ｃは、ネットワークデータベース２０６ａから、イベント地点として、交差点やＴ字路や行き止まりや目的地等に関するノード等を検索してもよく、地図データベース２０６ｂから、イベント地点として行政界等を検索してもよい。また、イベント地点検索部２０２ｃは、イベントデータベース２０６ｃから渋滞箇所や規制箇所等をイベント地点として検索してもよく、案内データベース２０６ｄからガイドポイントをイベント地点として検索してもよい。また、イベント地点検索部２０２ｃは、所定の条件として検索入力情報（キーワード、イベントのカテゴリ等）等のイベント検索条件を満たすイベント地点を検索してもよく、目的のイベント地点がない場合であってもイベント地点が現われるように、所定の時間条件や距離条件を満たすイベント地点を検索してもよい。
【０１０４】
そして、サーバ装置２００の移動結果情報生成部２０２ｄは、イベント地点検索部２０２ｃにより検索されたイベント地点に関する情報を含む移動結果情報を生成する（ステップＳＡ−７）。例えば、移動結果情報生成部２０２ｄは、イベント地点検索部２０２ｃによりネットワークデータベース２０６ａから交差点やＴ字路や行き止まりや目的地等のイベント地点が検索された場合に、当該イベント地点にかかる情報（交差点名や、交差点の詳細情報等）を含む移動結果情報を生成してもよい。また、移動結果情報生成部２０２ｄは、イベント地点検索部２０２ｃにより地図データベース２０６ｂから行政界等のイベント地点が検索された場合に、当該イベント地点にかかる情報（移動先の行政区画の名称（市町村名など）等）を含む移動結果情報生成手段を生成してもよい。また、移動結果情報生成部２０２ｄは、イベント地点検索部２０２ｃによりイベントデータベース２０６ｃから渋滞箇所や規制箇所やＰＯＩ等のイベント地点が検索された場合に、当該イベント地点に関する情報（渋滞の距離や、交通規制の時間帯、ＰＯＩ情報など）を含む移動結果情報を生成してもよい。また、移動結果情報生成部２０２ｄは、イベント地点検索部２０２ｃにより案内データベース２０６ｄからガイドポイント等のイベント情報が検索された場合に、ガイドポイントに対する案内情報（詳細情報等）を含む移動結果情報を生成してもよい。なお、移動結果情報生成部２０２ｄは、地図情報を移動結果情報に加えてもよく、例えば、基準点にかかる地図情報、または、イベント地点検索部２０２ｃにより検索されたイベント地点にかかる地図情報を、地図データベース２０６ｂから取得して移動結果情報に追加してもよい。また、移動結果情報生成部２０２ｄは、元の基準点からイベント地点までのスクロール制御時、または、元の基準点からイベント地点を経由して当該元の基準点の方向へ戻るスクロール制御時に表示される地図情報を、地図データベース２０６ｂから取得して移動結果情報に追加してもよい。例えば、移動結果情報生成部２０２ｄは、元の基準点から移動先の基準点や目的地まで基準点マークが地図上で動かせる移動結果情報を生成してもよい。また、移動結果情報生成部２０２ｄは、移動量の目安となるスケール（縮尺スケールなど）等を地図情報に加えてもよい。
【０１０５】
そして、サーバ装置２００の移動結果情報送信部２０２ｆは、移動結果情報生成部２０２ｄにより生成された移動結果情報を、端末装置１００に送信する（ステップＳＡ−８）。
【０１０６】
そして、端末装置１００の移動結果情報受信部１０２ｆは、サーバ装置２００から送信される、移動結果情報を受信する（ステップＳＡ−９）。
【０１０７】
そして、イベント出力制御部１０２ｇは、移動結果情報受信部１０２ｄにより受信された移動結果情報を出力部１１４に出力する（ステップＳＡ−１０）。例えば、イベント出力制御部１０２ｇは、移動結果情報受信部１０２ｄにより受信された移動結果情報に基づいて、移動要求に基づいて基準点の移動により検索されたイベント地点に関する情報を出力部１１４に出力してもよい。ここで、イベント出力制御部１０２ｇは、地図上において、イベント地点をマーク等で表示するとともに、イベント地点に関する情報（詳細情報等）を地図上に重畳表示（ポップアップ表示等）させてもよい。イベント出力制御部１０２ｇは、基準点が当該イベント地点に到達したタイミングで、イベント地点のマークや、イベント地点に関する情報を表示させてもよい。ここで、イベント出力制御部１０２ｇは、イベント地点として交差点の詳細情報が出力部１１４に出力されている場合に、交差点の詳細情報に対して入力部１１６を介した入力（クリックやタップ等）があった場合、当該交差点に関する情報（詳細情報等）を出力部１１４に出力してもよい。
【０１０８】
以上が、第１の実施形態における情報出力システムの処理の一例である。つづいて、端末装置１００における詳細な処理について説明する。なお、上述したステップＳＡ−１０において再びステップＳＡ−１に処理を戻し、上述した処理が繰り返されるよう制御してもよい。ここで、図８は、情報出力システムの処理における、端末装置１００の詳細な処理の一例を示す図である。なお、端末装置１００の処理に伴って、バックグラウンドにて上述したサーバ装置２００の処理が行われ、移動結果情報が更新されていることを前提とする。ここでは、端末装置１００から見た場合の画面遷移例を示すために端末装置１００の詳細な処理について説明する。
【０１０９】
図８に示すように、まず、入力制御部１０２ｃは、タッチパネル式の入力部１１６を介して、出力部１１４に表示された基準点マークに対してフリック操作によるスクロール指示を移動要求として利用者に入力させる（ステップＳＢ−１）。
【０１１０】
そして、地図表示制御部１０２ｂは、入力制御部１０２ｃの制御により入力された移動要求（スクロール指示等）に応じた移動方向および移動速度を取得する（ステップＳＢ−２）。ここで、地図表示制御部１０２ｂは、上述した移動方向決定部２０２ｂと同様の処理により移動方向や移動速度等を決定してもよい。
【０１１１】
そして、地図表示制御部１０２ｂは、移動要求に応じた移動方向や移動速度にて基準点マークが地図上を移動するようにスクロール制御を行う（ステップＳＢ−３）。ここで、地図表示制御部１０２ｂは、スクロール速度やスクロール量等を、移動速度等によって決定してもよい。例えば、地図表示制御部１０２ｂは、基準点マークが、移動要求に応じた移動速度を初速度として、距離に比例して一定割合で減速するように制御してもよい。なお、スクロール制御に用いる地図情報等は、予め記憶部１０６に記憶されたものでもよく、サーバ装置２００から送信される移動結果情報に含まれる地図情報であってもよい。ここで、図９は、スクロール制御による表示画面の一例を示す図である。
【０１１２】
図９に示すように、地図表示制御部１０２ｂは、当初の時刻ｔ０における基準点と移動中の時刻ｔ１における基準点が両方とも含まれるように地図の縮尺を制御する。なお、その際、地図表示制御部１０２ｂは、渋滞箇所等のイベント地点がなければ、「スムーズ！」と表記したポップアップ画面ＭＡ−３等を表示してもよい。
【０１１３】
再び図８に戻り、地図表示制御部１０２ｂは、基準点が地図上の渋滞箇所等の停止位置に達したか否かを判定する（ステップＳＢ−４）。例えば、地図表示制御部１０２ｂは、移動結果情報に基づいて、基準点がイベント地点（ガイダンスポイントや目的地や渋滞末尾や交通規制箇所等）に到達した場合に停止位置に達したと判定してもよい。また、これに限られず、停止位置は、スクロール指示の際に入力されたフリック速度および方向から算出される所定距離の経路上の位置であってもよい。
【０１１４】
地図表示制御部１０２ｂにより基準点が地図上の渋滞箇所等の停止位置に達していないと判定した場合（ステップＳＢ−４，Ｎｏ）、端末装置１００は、ステップＳＢ−１に処理を戻し、上述した処理を繰り返す。なお、入力制御部１０２ｃは、移動中の基準点マークに対して、更なるフリック操作によって加速操作ができるようにしてもよく、タッチ操作等によって減速操作や停止操作ができるように移動要求を受け付けてもよい。
【０１１５】
一方、基準点が地図上の渋滞箇所等の停止位置に達したと判定すると（ステップＳＢ−４，Ｙｅｓ）、地図表示制御部１０２ｂは、基準点マークの跳ね返り処理を実行する（ステップＳＢ−５）。すなわち、地図表示制御部１０２ｂは、基準点がイベント地点に到達すると、進んでいた向きとは逆方向へ基準点の移動方向を反転させるスクロール制御を行う。ここで、図１０は、図９に示した表示画面から遷移した画面例を示す図である。
【０１１６】
図１０に示すように、地図表示制御部１０２ｂは、イベント地点でスクロール方向を反転させて、時刻ｔ２において、基準位置マークを当初の時刻ｔ０時の基準点の方向へ向けて移動させる。なお、図１０に示すように、イベント出力制御部１０２ｇは、渋滞区間ＳＰ１や、渋滞末尾ＳＰ２を地図上に重畳表示させてもよい。なお、これに限られず、地図表示制御部１０２ｂは、スクロール制御を行うことなく、基準点がイベント地点に到達すると停止させ、イベント地点（基準点の停止地点）周辺の地図情報やイベント情報等の情報を出力してもよい。このほか、イベント出力制御部１０２ｇは、所定の複数個のイベント地点を通過するまで、または、所定の距離通過するまで、スクロール制御や停止制御を行わない形態としてもよい。この場合、イベント出力制御部１０２ｇは、通過した複数のイベント地点に関するイベント情報等の情報を収集して出力してもよい。これにより、ルート沿いのＰＯＩ検索をまとめて行うことができる。また、イベント出力制御部１０２ｇは、基準点が当該イベント地点に到達したタイミングで、渋滞情報ポップアップ画面ＭＡ−４を表示させてもよい。ここで、図１１および図１２は、図９に示した表示画面から遷移した画面の他の例を示す図である。
【０１１７】
図１１および図１２に示すように、イベント出力制御部１０２ｇは、イベント地点が交差点の場合に、交差点箇所ＳＰ３とともに、交差点のサムネイル画像ＭＡ−５，６を地図上に重畳表示させてもよい。なお、サムネイル画像ＭＡ−５は、交差点の拡大図を示しており、サムネイル画像ＭＡ−６は、交差点に設置される案内看板の画像を示している。なお、イベント出力制御部１０２ｇにより出力される詳細情報は、これに限られず、例えば、進入方向から交差点を見た場合のイラストを示す交差点イラスト情報や、進入方向から高速道路の入り口を見た場合のイラストを示す高速入口イラスト情報や、高速道路のジャンクションを進入方向から見た場合のイラストを示すジャンクション分岐案内情報であってもよい。なお、案内経路に基づいて経路案内を実行中の場合、イベント出力制御部１０２ｇは、上述のサムネイル中に案内経路を重畳させて表示してもよい。イベント出力制御部１０２ｇは、交差点のサムネイル情報に対して入力部１１６を介した入力（クリックやタップ等や音声入力など）があった場合、当該交差点に関する情報（詳細情報等）を出力部１１４に出力してもよい。その場合、一例として、イベント出力制御部１０２ｇは、上述したサムネイル画像ＭＡ−５とＭＡ−６を切り替え表示されるよう制御してもよく、現在位置情報取得部１０２ａにより取得される現在位置情報に基づいて音声案内情報を出力してもよい。また、表示制御部１０２ｂは、当該交差点まで地図をスクロールする制御を行ってもよい。
【０１１８】
再び図８に戻り、端末装置１００は、利用者により入力部１１６を介して終了指示があれば（ステップＳＢ−６，Ｙｅｓ）処理を終了し、終了指示がなければ（ステップＳＢ−６，Ｎｏ）、ステップＳＢ−１に処理を戻し、上述した処理を繰り返す。
【０１１９】
以上が、端末装置１００の詳細な処理の一例である。なお、上述したステップＳＢ−１において、入力制御部１０２ｃにより移動要求が入力される場合に、地図表示制御部１０２ｃは、移動量を示すスケールを表示してもよい。ここで、図１３は、移動量を示すスケールを示す図である。
【０１２０】
図１３に示すように、上述したステップＳＡ−１において、利用者が基準点を移動させる移動量の目安となるように、地図表示制御部１０２ｂは、地図上の距離等を示すスケールＭＡ−７を表示してもよい。また、上記においては、基準点が１つの場合について説明を行ったが、これに限られず、基準点は複数であってもよい。ここで、図１４は、複数の基準点マークが表示された画面の一例を示す図である。
【０１２１】
図１４に示すように、利用者は、２つの基準点を示すマークＡおよびマークＢに対して、同時に、時刻ｔ０〜ｔ２にかけて指を動かすフリック操作を行った場合、表示制御部１０２ｂは、それぞれが位置する道路に沿って移動するように制御し、時刻ｔ２においてマークＡもマークＢも含まれるように制御する。なお、地図表示制御部１０２ｂは、複数の基準点が含まれるように地図を表示してもよく、基準点毎に別の地図表示領域を割り当ててもよい。また、地図表示制御部１０２ｂは、基準点を当初は一つとしておき、分岐等のイベント地点に到達すると、別の経路を進む複数の基準点に分離してもよい。
【０１２２】
以上で、第１の実施形態における情報出力システムの処理の説明を終える。
【０１２３】
［第２の実施形態］
続いて、本発明の第２の実施形態における情報出力システムについて、図１５および図１６を参照して説明する。ここで、図１５は、第２の実施形態における情報出力システムである情報出力装置４００の構成の一例を示すブロック図であり、該構成のうち本発明に関係する部分のみを概念的に示している。ここで、第２の実施形態における情報出力システムにおいては、各構成が一筐体内に全て備えられたもの（スタンドアローン型）を、経路情報提供装置４００として説明するが、当該実施例に限らず、各構成が分離した筐体内に備えられ、ネットワーク３００等を介して接続されて一つの概念としての装置を構成するもの（例えば、クラウドコンピューティング等）であってもよい。
【０１２４】
なお、第２の実施形態においては、全ての機能を情報出力装置４００に集約し、記憶部４０６に記憶された地図情報に基づく地図が表示されるように出力部４１４を制御し、入力部４１６を介して、出力部４１４に表示された地図上の基準点に対する移動要求を利用者に入力させ、移動要求に基づいて、移動方向を決定し、移動方向に従って地図上を基準点が移動した場合の、当該地図の線上または当該線から所定範囲内の、所定の条件を満たすイベント地点を、記憶部４０６から検索し、検索されたイベント地点に関する情報を出力部４１４に出力する等の機能を有する。このように、第２の実施形態は、情報出力装置４００がスタンドアローン型に構成され単独で処理を行う点がその他の実施形態と異なる。
【０１２５】
［情報出力装置４００の構成］
まず、第２の実施形態における情報出力装置４００の構成の一例について、図１５を参照して説明する。
【０１２６】
図１５に示すように、本発明の第２の実施形態の情報出力装置４００は、位置取得部４１２と出力部４１４と入力部４１６と制御部４０２と記憶部４０６とを備える。これら情報出力装置４００の各部は任意の通信路を介して通信可能に接続されてもよい。情報出力装置４００は、例えば、ＰＮＤ（Ｐｏｒｔａｂｌｅ  Ｎａｖｉｇａｔｉｏｎ  Ｄｅｖｉｃｅ）等の各種ナビゲーション端末、ノート型のパーソナルコンピュータ等の各種情報処理装置、または、携帯電話やＰＨＳやＰＤＡ等の携帯端末装置等であってもよい。また、情報出力装置４００は、通信制御インターフェース部（図示せず）を介してネットワーク３００を経由し、外部装置と相互に通信可能に接続されていてもよい。
【０１２７】
図１５において、入出力制御インターフェース部４０８、位置取得部４１２、出力部４１４、および、入力部４１６の各機能は、第１の実施形態および第２の実施形態と同様であるため説明を省略する。また、記憶部４０６の各部（ネットワークデータベース４０６ａ、地図データベース４０６ｂ、イベントデータベース４０６ｃ、および、案内データベース４０６ｄ等）についても、サーバ装置２００ではなく情報出力装置４００に備えられている点を除き、各機能が第１の実施形態と同様であるため説明を省略する。
【０１２８】
また、図１５において、制御部４０２の各部については、本実施形態の情報出力装置４００がスタンドアローン型であり、制御部４０２が各送受信部を備えていない点を除き、各機能は第１の実施形態と基本的に同様である。
【０１２９】
制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、現在位置情報取得部４０２ａ、地図表示制御部４０２ｂ、入力制御部４０２ｃ、移動方向決定部４０２ｄ、イベント地点検索部４０２ｆ、移動結果情報生成部４０２ｇ、および、イベント出力制御部４０２ｈを備える。これら、現在位置情報取得部４０２ａ、地図表示制御部４０２ｂ、入力制御部４０２ｃ、移動方向決定部４０２ｄ、イベント地点検索部４０２ｆ、移動結果情報生成部４０２ｇ、および、イベント出力制御部４０２ｈの機能は、第１の実施形態と同様であるので説明を省略する。
【０１３０】
以上で、第２の実施形態における情報出力装置４００の構成の一例の説明を終える。
【０１３１】
［情報出力装置４００の処理］
次に、このように構成された第２の実施形態における情報出力システム（情報出力装置４００）の処理の一例について、図１６を参照して詳細に説明する。図１６は、第２の実施形態における情報出力装置４００の処理の一例を示すフローチャートである。なお、上述した第１の実施形態と同様な説明については、省略する場合がある。
【０１３２】
図１６に示すように、まず、地図表示制御部４０２ｂは、地図データベース４０６ｂに記憶された地図情報に基づいて、基準点のマークを重畳表示させた地図を出力部４１４に表示させる（ステップＳＣ−１）。
【０１３３】
そして、入力制御部４０２ｃは、入力部４１６を介して、出力部４１４に表示された地図上の基準点に対する移動要求を利用者に入力させる（ステップＳＣ−２）。一例として、入力制御部４０２ｃは、入力部４１６を介して入力された地図表示画面上の接触点座標の履歴等に関する情報（スライド操作、フリック操作に関する情報等）を移動要求として取得してもよい。
【０１３４】
そして、移動方向決定部４０２ｄは、入力制御部４０２ｃの制御により入力された移動要求に基づいて、移動方向等を決定する（ステップＳＣ−３）。例えば、移動方向決定部４０２ｄは、移動要求として入力された地図表示画面上の接触点座標の履歴等に基づいて、移動方向を決定してもよい。一例として、移動方向決定部４０２ｄは、最初の接触点から最後の接触点までの方向を、移動方向として決定してもよい。なお、移動方向決定部４０２ｄは、移動要求に基づいて、移動方向のみならず、移動速度や移動量（移動距離）等を決定してもよい。例えば、移動方向決定部４０２ｄは、接触点座標の履歴等に基づいて、地図表示画面上を接触点が移動した速度を、移動速度としてもよい。なお、誘導経路等の経路がある場合には、移動方向決定部４０２ｄは、当該経路に沿うように移動方向を決定してもよく、経路がない場合には、ネットワークデータベース４０６ａに記憶されたネットワークデータが規定する道路等に沿うように移動方向を決定してもよい。なお、移動方向決定部４０２ｄは、接触点座標の履歴によって求められる方向に最も近い道路や経路等の方向を移動方向としてもよい。
【０１３５】
そして、イベント地点検索部４０２ｆは、移動方向決定部４０２ｄにより決定された移動方向に従って地図上を基準点が移動した場合の、当該地図の移動線上または当該移動線から所定範囲内の、所定の条件を満たすイベント地点を記憶部４０６から検索する（ステップＳＣ−４）。例えば、イベント地点検索部４０２ｆは、基準点が経路や交通網に沿って移動方向に移動する場合に、ネットワークデータベース４０６ａに記憶されたネットワークデータの交通網の道路上または当該道路から所定範囲内の、所定の条件を満たすイベント地点を検索してもよい。一例として、イベント地点検索部４０２ｆは、ネットワークデータベース４０６ａから、イベント地点として、交差点やＴ字路や行き止まりや目的地等に関するノード等を検索してもよく、地図データベース４０６ｂから、イベント地点として行政界等を検索してもよい。また、イベント地点検索部４０２ｆは、イベントデータベース４０６ｃから渋滞箇所や規制箇所等をイベント地点として検索してもよく、案内データベース４０６ｄからガイドポイントをイベント地点として検索してもよい。また、イベント地点検索部４０２ｃは、所定の条件として検索入力情報（キーワード、イベントのカテゴリ等）等のイベント検索条件を満たすイベント地点を検索してもよく、目的のイベント地点がない場合であってもイベント地点が現われるように、所定の時間条件や距離条件を満たすイベント地点を検索してもよい。
【０１３６】
そして、移動結果情報生成部４０２ｇは、イベント地点検索部４０２ｆにより検索されたイベント地点に関する情報を含む移動結果情報を生成する（ステップＳＣ−５）。例えば、移動結果情報生成部４０２ｇは、イベント地点検索部４０２ｆによりネットワークデータベース４０６ａから交差点やＴ字路や行き止まりや目的地等のイベント地点が検索された場合に、当該イベント地点にかかる情報（交差点名や、交差点の詳細情報等）を含む移動結果情報を生成してもよい。また、移動結果情報生成部４０２ｄは、イベント地点検索部４０２ｆにより地図データベース４０６ｂから行政界等のイベント地点が検索された場合に、当該イベント地点にかかる情報（移動先の行政区画の名称（市町村名など）等）を含む移動結果情報生成手段を生成してもよい。また、移動結果情報生成部４０２ｇは、イベント地点検索部４０２ｆによりイベントデータベース４０６ｃから渋滞箇所や規制箇所やＰＯＩ等のイベント地点が検索された場合に、当該イベント地点に関する情報（渋滞の距離や、交通規制の時間帯、ＰＯＩ情報など）を含む移動結果情報を生成してもよい。また、移動結果情報生成部４０２ｇは、イベント地点検索部４０２ｆにより案内データベース４０６ｄからガイドポイント等のイベント情報が検索された場合に、ガイドポイントに対する案内情報（詳細情報等）を含む移動結果情報を生成してもよい。なお、移動結果情報生成部４０２ｆは、地図情報を移動結果情報に加えてもよく、例えば、基準点にかかる地図情報、または、イベント地点検索部４０２ｆにより検索されたイベント地点にかかる地図情報を、地図データベース４０６ｂから取得して移動結果情報に追加してもよい。また、移動結果情報生成部４０２ｇは、元の基準点からイベント地点までのスクロール制御時、または、元の基準点からイベント地点を経由して当該元の基準点の方向へ戻るスクロール制御時に表示される地図情報を、地図データベース４０６ｂから取得して移動結果情報に追加してもよい。例えば、移動結果情報生成部４０２ｇは、元の基準点から移動先の基準点や目的地まで基準点マークが地図上で動かせる移動結果情報を生成してもよい。また、移動結果情報生成部４０２ｇは、移動量の目安となるスケール（縮尺スケールなど）等を地図情報に加えてもよい。
【０１３７】
そして、イベント出力制御部４０２ｈは、移動結果情報生成部４０２ｇにより生成された移動結果情報を出力部４１４に出力する（ステップＳＣ−６）。例えば、イベント出力制御部４０２ｈは、移動結果情報生成部４０２ｇにより生成された移動結果情報に基づいて、移動要求に基づいて基準点の移動により検索されたイベント地点に関する情報を出力部４１４に出力してもよい。ここで、イベント出力制御部４０２ｈは、地図上において、イベント地点をマーク等で表示するとともに、イベント地点に関する情報（詳細情報等）を地図上に重畳表示（ポップアップ表示等）させてもよい。イベント出力制御部４０２ｈは、基準点が当該イベント地点に到達したタイミングで、イベント地点のマークや、イベント地点に関する情報を表示させてもよい。ここで、イベント出力制御部４０２ｈは、イベント地点として交差点の詳細情報が出力部１１４に出力されている場合に、交差点の詳細情報に対して入力部４１６を介した入力（クリックやタップ等）があった場合、当該交差点に関する情報（詳細情報等）を出力部４１４に出力してもよい。
【０１３８】
以上で、第２の実施形態における情報出力装置４００の処理の一例の説明を終える。なお、第１の実施形態と同様の処理については一部説明を省略したが、第２の実施形態においても同様に適用可能である。
【０１３９】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【０１４０】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１４１】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１４２】
また、端末装置１００、サーバ装置２００、および、情報出力装置４００に関して、図示の各構成要素は機能概念的なものであり、必ずしも物理的に図示の如く構成されていることを要しない。
【０１４３】
例えば、端末装置１００、サーバ装置２００、および、情報出力装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する、コンピュータに本発明に係る方法を実行させるためのプログラム化された命令を含む、一時的でないコンピュータ読み取り可能な記録媒体に記録されており、必要に応じて端末装置１００、サーバ装置２００、および、情報出力装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１４４】
また、このコンピュータプログラムは、端末装置１００、サーバ装置２００、および、情報出力装置４００に対して任意のネットワーク３００を介して接続されたアプリケーションプログラムサーバに記憶されていてもよく、必要に応じてその全部または一部をダウンロードすることも可能である。
【０１４５】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１４６】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１４７】
記憶部１０６、記憶部２０６、および、記憶部４０６に格納される各種のデータベース等（ネットワークデータベース２０６ｂ，４０６ａ〜案内データベース２０６ｄ，４０６ｄ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１４８】
また、端末装置１００、サーバ装置２００、および、情報出力装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、および、情報出力装置４００は、該情報処理装置に本発明の方法を実現させるソフトウェア（プログラム、データ等を含む）を実装することにより実現してもよい。
【０１４９】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１５０】
以上詳述したように、本発明によれば、地図の更新と地図の更新に伴う情報の取得を簡便な操作で行うことができる、情報出力システム、サーバ装置、端末装置、情報出力方法、および、プログラムを提供することができるので、ナビゲーションを支援する情報機器や情報処理分野などの様々な分野において極めて有用である。
【符号の説明】
【０１５１】
１００  端末装置
１０２  制御部
１０２ａ  現在位置情報取得部
１０２ｂ  地図表示制御部
１０２ｃ  入力制御部
１０２ｄ  移動要求送信部
１０２ｆ  移動結果情報受信部
１０２ｇ  イベント出力制御部
１０４  通信制御インターフェース部
１０６  記憶部
１０８  入出力制御インターフェース部
１１２  位置取得部
１１４  出力部
１１６  入力部
２００  サーバ装置
２０２  制御部
２０２ａ  移動要求受信部
２０２ｂ  移動方向決定部
２０２ｃ  イベント地点検索部
２０２ｄ  移動結果情報生成部
２０２ｆ  移動結果情報送信部
２０４  通信制御インターフェース部
２０６  記憶部
２０６ａ  ネットワークデータベース
２０６ｂ  地図データベース
２０６ｃ  イベントデータベース
２０６ｄ  案内データベース
３００  ネットワーク
４００  情報出力装置
４０２  制御部
４０２ａ  現在位置情報取得部
４０２ｂ  地図表示制御部
４０２ｃ  入力制御部
４０２ｄ  移動方向決定部
４０２ｆ  イベント地点検索部
４０２ｇ  移動結果情報生成部
４０２ｈ  イベント出力制御部
４０６  記憶部
４０６ａ  ネットワークデータベース
４０６ｂ  地図データベース
２０６ｃ  イベントデータベース
２０６ｄ  案内データベース
４０８  入出力制御インターフェース部
４１２  位置取得部
４１４  出力部
４１６  入力部
５００  位置発信装置
【図１】
2014052264.tif 000003
【図２】
2014052264.tif 000004
【図３】
2014052264.tif 000005
【図４】
2014052264.tif 000006
【図５】
2014052264.tif 000007
【図６】
2014052264.tif 000008
【図７】
2014052264.tif 000009
【図８】
2014052264.tif 000010
【図９】
2014052264.tif 000011
【図１０】
2014052264.tif 000012
【図１１】
2014052264.tif 000013
【図１２】
2014052264.tif 000014
【図１３】
2014052264.tif 000015
【図１４】
2014052264.tif 000016
【図１５】
2014052264.tif 000017
【図１６】
2014052264.tif 000018